(57)【特許請求の範囲】
【請求項１】
ユーザデバイスにおいてデバイス間発見のための複数のパラメータを受信することと、前記複数のパラメータは、発見リソースがデバイス間発見のために利用可能である発見期間を識別する発見期間パラメータを含み、前記複数のパラメータのうちの少なくとも１つのサブセットは、前記ユーザデバイスのクラスに少なくとも部分的に基づく値を有し、
他のユーザデバイスとともに発見に参加するために前記複数のパラメータを使用することと
を備える、ワイヤレス通信のための方法。
【請求項２】
前記発見期間は、前記ユーザデバイスが使用されるネットワークの最大システムフレーム数（ＳＦＮ）の整数分の１または倍数である、請求項１に記載の方法。
【請求項３】
前記発見期間が最大ＳＦＮの倍数であるとき、前記複数のパラメータは、前記発見期間中に前記最大ＳＦＮが超過される回数を示すためにＳＦＮ拡張パラメータをさらに含む、請求項２に記載の方法。
【請求項４】
前記複数のパラメータが、前記発見期間の開始と、リソースプールのための固定時間ベースの基準ポイントとの間のオフセットを示す発見オフセットパラメータをさらに備え、前記方法が、
前記ユーザデバイスのサービングセルのための固定時間ベースの基準ポイントに関してネイバー受信プールオフセットを示すこと
をさらに備える、請求項１に記載の方法。
【請求項５】
前記複数のパラメータは、前記発見期間内のどのサブフレームが発見リソースとして利用可能であるかを示す発見サブフレームパラメータをさらに含む、請求項１に記載の方法。
【請求項６】
前記発見サブフレームパラメータがビットマップである、請求項５に記載の方法。
【請求項７】
前記複数のパラメータが、発見リソースとして利用可能なサブフレーム内で各発見信号のために使用されるべき１つまたは複数のリソースブロックの開始ポイントおよび終了ポイントを示す発見リソースブロック開始および終了ポイントパラメータをさらに含む、請求項５に記載の方法。
【請求項８】
前記複数のパラメータが、基地局に接続された１つまたは複数のユーザデバイスによってフォワーディングされた各発見期間として前記基地局の同期信号の位置を示す同期信号の位置パラメータをさらに含む、請求項１に記載の方法。
【請求項９】
前記複数のパラメータが、発見信号送信に関する電力レベルを示す送信電力パラメータをさらに含む、請求項１に記載の方法。
【請求項１０】
前記複数のパラメータが、システムフレーム数（ＳＦＮ）拡張パラメータと、発見オフセットパラメータと、発見サブフレームパラメータと、発見リソースブロック長さパラメータと、発見リソースブロック開始および終了ポイントパラメータと、変調およびコーディングパラメータと、同期信号の位置パラメータと、送信電力パラメータと、許可動作モードパラメータと、共通発見リソースプールパラメータと、専用発見リソースプールパラメータとのうちの２つ以上を含み、
前記ユーザデバイスの前記クラスが商用または公共安全のうちの１つである、請求項１に記載の方法。
【請求項１１】
前記複数のパラメータを受信することが、
システムブロードキャストメッセージ中で異なる周波数上で前記複数のパラメータのうちのいくつか、または
システムブロードキャストメッセージ中で異なるパブリックランドモバイルネットワーク（ＰＬＭＮ）のために前記複数のパラメータ
を受信することをさらに備える、請求項１に記載の方法。
【請求項１２】
ユーザデバイスにおいてデバイス間発見のための複数のパラメータを受信するための手段と、前記複数のパラメータは、発見リソースがデバイス間発見のために利用可能である発見期間を識別する発見期間パラメータを含み、前記複数のパラメータのうちの少なくとも１つのサブセットは、前記ユーザデバイスのクラスに少なくとも部分的に基づく値を有し、
他のユーザデバイスとともに発見に参加するために前記複数のパラメータを使用するための手段と
を備える、ワイヤレス通信のための装置。
【請求項１３】
受信するための前記手段は、前記発見期間中に最大システムフレーム数（ＳＦＮ）が超過される回数を示すためにＳＦＮ拡張パラメータを受信するための手段を含む、請求項１２に記載の装置。
【請求項１４】
受信するための前記手段が、前記発見期間の開始と、リソースプールのための固定時間ベースの基準ポイントとの間のオフセットを示す発見オフセットパラメータを受信するための手段を含み、前記装置が、
前記ユーザデバイスのサービングセルのための固定時間ベースの基準ポイントに関してネイバー受信プールオフセットを示すための手段
をさらに備える、請求項１２に記載の装置。
【請求項１５】
プログラムコードを記録したコンピュータ可読記憶媒体であって、前記プログラムコードは、
ユーザデバイスにおいてデバイス間発見のための複数のパラメータを受信するためのプログラムコードと、前記複数のパラメータは、発見リソースがデバイス間発見のために利用可能である発見期間を識別する発見期間パラメータを含み、前記複数のパラメータのうちの少なくとも１つのサブセットは、前記ユーザデバイスのクラスに少なくとも部分的に基づく値を有し、
他のユーザデバイスとともに発見に参加するために前記複数のパラメータを使用するためのプログラムコードと
を備える、コンピュータ可読記憶媒体。
【発明の詳細な説明】
【技術分野】
【０００１】
相互参照
[0001]本特許出願は、各々が本出願の譲受人に譲渡された、２０１４年１２月１日に出願された、「Ｐａｒａｍｅｔｅｒｓ  ｆｏｒ  Ｄｅｖｉｃｅ  ｔｏ  Ｄｅｖｉｃｅ  Ｄｉｓｃｏｖｅｒｙ」と題する、Ｂａｇｈｅｌらによる米国特許出願第１４／５５６，９９６号、および２０１４年１月２１日に出願された、「Ｐａｒａｍｅｔｅｒｓ  ｆｏｒ  Ｄｅｖｉｃｅ  ｔｏ  Ｄｅｖｉｃｅ  Ｄｉｓｃｏｖｅｒｙ」と題する、Ｂａｇｈｅｌらによる米国仮特許出願第６１／９２９，８９５号に対する優先権を主張する。
【背景技術】
【０００２】
開示の分野
[0002]ワイヤレス通信システムは、音声、ビデオ、パケットデータ、メッセージング、ブロードキャストなど、様々なタイプの通信コンテンツを提供するために広く展開されている。
【０００３】
関連技術の説明
[0003]ワイヤレス通信システムは、利用可能なシステムリソース（たとえば、時間、周波数および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。概して、ワイヤレス多元接続通信システムは、各々が複数のユーザデバイスのための通信を同時にサポートする、いくつかの基地局を含み得る。基地局は、ダウンストリームリンクおよびアップストリームリンク上でユーザデバイスと通信し得る。各基地局は、基地局またはセルのカバレージエリアと呼ばれることがあるカバレージ範囲を有する。
【０００４】
[0004]互いに近接したユーザデバイスはまた、デバイス間（Ｄ２Ｄ：ｄｅｖｉｃｅ−ｔｏ−ｄｅｖｉｃｅ）通信を介して直接通信し得る。しかしながら、そうするために、ユーザデバイスは、Ｄ２Ｄ通信の範囲内にある他のユーザデバイスを最初に発見する。Ｄ２Ｄ発見のプロセスは、ユーザデバイスが発見されるために利用可能であることを告知するように、ユーザデバイスが発見信号を送信することを可能にする。さらに、ユーザデバイスは、範囲内にある他のユーザデバイスから発見信号を受信し復号する。しかしながら、Ｄ２Ｄ送信が受信され復号されるために、受信ユーザデバイスは、送信ユーザデバイスがそれの発見信号をブロードキャストしているタイミングおよび方法を理解している必要があり得る。
【発明の概要】
【０００５】
[0005]説明する特徴は、概して、ワイヤレス通信を管理するための１つまたは複数の改善された方法、システム、または装置に関する。一例として、ワイヤレス通信のための第１の方法が説明される。一構成では、ユーザデバイスが、Ｄ２Ｄ発見を可能にする１つまたは複数のパラメータを基地局から受信する。受信されたパラメータのうちの１つは、発見リソースがＤ２Ｄ発見のために利用可能である発見期間を識別する、発見期間パラメータである。ユーザデバイスがパラメータを受信すると、ユーザデバイスは、Ｄ２Ｄ発見に参加するためにパラメータを使用する。
【０００６】
[0006]例示的な実施形態の第１のセットによれば、ワイヤレス通信のための方法は、ユーザデバイスにおいてデバイス間発見のための複数のパラメータを受信することを含み得、ここで、複数のパラメータは、発見リソースがデバイス間発見のために利用可能である発見期間を識別する発見期間パラメータを含む。本方法はまた、他のユーザデバイスとともに発見に参加するために複数のパラメータを使用することを含み得る。いくつかの例では、発見期間は、ユーザデバイスが使用されるネットワークの最大システムフレーム数（ＳＦＮ）の整数分の１または倍数（a fraction or a multiple）である。発見期間が最大ＳＦＮの倍数であるとき、複数のパラメータは、発見期間中に最大ＳＦＮが超過される回数を示すためにＳＦＮ拡張パラメータをさらに含み得る。
【０００７】
[0007]いくつかの例では、複数のパラメータは、発見期間の開始と、送信プールと受信プールの両方のための固定時間ベースの基準ポイント（a fixed time-based reference point）との間のオフセットを示す発見オフセットパラメータをさらに含み得る。いくつかの例では、ネイバー受信プールオフセットも、サービングセルの固定基準ポイントに関して示され得る。他の例では、複数のパラメータは、発見期間内のどのサブフレームが発見リソースとして利用可能であるかを示す発見サブフレームパラメータをさらに含み得る。発見サブフレームパラメータはビットマップであり得る。さらに、複数のパラメータは、発見リソースとして利用可能なサブフレーム内で各発見信号のために使用されるべきリソースブロック（ＲＢ）の数を示す発見ＲＢ長さパラメータをさらに含み得る。さらに、複数のパラメータは、発見リソースとして利用可能なサブフレーム内で各発見信号のために使用されるべきいくつかのリソースブロックの開始ポイントおよび終了ポイントを示す発見ＲＢ開始および終了ポイントパラメータをさらに含み得る。
【０００８】
[0008]いくつかの例では、複数のパラメータは、発見信号送信に関する変調およびコーディング方式を示す変調およびコーディングパラメータをさらに含み得る。他のいくつかの例では、複数のパラメータは、基地局に接続された１つまたは複数のユーザデバイスによってフォワーディングされた各発見期間として基地局の同期信号の位置を示す同期信号の位置パラメータをさらに含み得る。
【０００９】
[0009]いくつかの例では、複数のパラメータは、発見信号送信に関する電力レベルを示す送信電力パラメータをさらに含み得る。発見のために使用されるリソースが異なる電力ゾーンに区分されるとき、送信電力パラメータは複数の送信電力パラメータであり得る。複数の送信電力パラメータの各々は、対応する電力ゾーンに関連付けられ得、それぞれの電力レベルにおける発見信号送信のために使用されるサブフレームを示す関連するビットマップを有し得る。
【００１０】
[0010]いくつかの例では、複数のパラメータは、発見が接続モード中に行われ得るかアイドルモード中に行われ得るかを示す許可動作モードパラメータをさらに含み得る。複数のパラメータは、発見リソースがユーザデバイスに共通であるかどうかまたは発見リソースが特定のユーザデバイスに専用であるかどうかを示す共通発見リソースプールパラメータまたは専用発見リソースプールパラメータをさらに含み得る。発見リソースが周波数領域多重化（ＦＤＭ）されるとき、共通または専用発見リソースプールパラメータは、共通および専用発見リソースの開始および終了ポイントを示すビットマップであり得る。代替的に、発見リソースが時間領域多重化（ＴＤＭ）されるとき、共通発見リソースプールパラメータは、共通発見リソースを示す第１のビットマップであり、専用発見リソースプールパラメータは、専用発見リソースを示す第２のビットマップである。
【００１１】
[0011]いくつかの例では、複数のパラメータは、利用可能な発見リソースのうちのどれが発見信号送信のために使用されるべきかを選択するためにユーザデバイスによって使用される方法を示す送信リソース選択方法パラメータをさらに含み得る。いくつかの他の例では、複数のパラメータは、どの復調基準信号（ＤＭＲＳ）サイクリックシフトが利用可能であるかならびにＤＭＲＳシフトの時間変動パターンを示すＤＭＲＳ使用可能サイクリックシフトパラメータをさらに含み得る。
【００１２】
[0012]いくつかの例では、複数のパラメータのうちのいくつかは、ユーザデバイスのクラスに基づいて異なる。たとえば、複数のパラメータは、システムフレーム数（ＳＦＮ）拡張パラメータと、発見オフセットパラメータと、発見サブフレームパラメータと、発見リソースブロック長さパラメータと、発見リソースブロック開始および終了ポイントパラメータと、変調およびコーディングパラメータと、同期信号の位置パラメータと、送信電力パラメータと、許可動作モードパラメータと、共通発見リソースプールパラメータと、専用発見リソースプールパラメータとのうちの２つ以上を含む。ユーザデバイスのクラスは商用または公共安全（commercial or public safety）のうちの１つであり得る。
【００１３】
[0013]いくつかの例では、発見期間パラメータは、ユーザデバイスの異なるクラスについて異なる。複数のパラメータは、ユーザデバイスの異なるクラスのために１つまたは複数の発見オフセットパラメータをさらに含み得、発見オフセットパラメータは各々、それぞれの発見期間の開始と固定時間ベースの基準ポイントとの間のオフセットを示す。いくつかの例では、発見オフセットパラメータは、それぞれの発見期間の開始と、送信プールと受信プールの両方のための固定時間ベースの基準ポイントとの間のオフセットを示す。いくつかの例では、ネイバー受信プールオフセットも、ユーザデバイスのサービングセルの固定基準ポイントに関して示され得る。複数のパラメータはまた、ユーザデバイスの異なるクラスのために１つまたは複数の発見リソースブロック（ＲＢ）長さパラメータをさらに含み得、発見ＲＢパラメータは各々、発見リソースとして利用可能なサブフレーム内で各発見信号のために使用されるべきＲＢの数を示す。複数のパラメータは、ユーザデバイスの異なるクラスの各々について発見信号送信に関する変調およびコーディング方式を示す、変調およびコーディングパラメータをさらに含み得る。
【００１４】
[0014]いくつかの例では、ワイヤレス通信のための方法は、他のユーザデバイスとともに発見を符号化するためにシステム時間とセキュリティキーとを使用してハッシュ演算を実施することを含み得る。さらに、本方法は、複数のパラメータのうちの１つとしてシステム時間を受信することを含み得る。複数のパラメータは、発見リソースがユーザデバイスにもっぱら提供されるとき、ユーザデバイスによって実施されるべきいくつかの発見信号送信を示すパラメータを含み得る。複数のパラメータはまた、以前にユーザデバイスに専用であった発見リソースが割振り解除されるとユーザデバイスがその後に決定し得る、いくつかの空の発見信号送信を示すパラメータを含み得る。
【００１５】
[0015]いくつかの例では、複数のパラメータを受信することは、システムブロードキャストメッセージ中で異なる周波数上で複数のパラメータのうちのいくつかを受信することをさらに含む。他の例では、複数のパラメータを受信することは、システムブロードキャストメッセージ中で異なるパブリックランドモバイルネットワーク（ＰＬＭＮ）のために複数のパラメータを受信することをさらに含む。
【００１６】
[0016]例示的な実施形態の第２のセットによれば、ワイヤレス通信のための装置は、ユーザデバイスにおいてデバイス間発見のための複数のパラメータを受信するための手段を含み得、複数のパラメータは、発見リソースがデバイス間発見のために利用可能である発見期間を識別する発見期間パラメータを含む。本装置はまた、他のユーザデバイスとともに発見に参加するために複数のパラメータを使用するための手段を含み得る。
【００１７】
[0017]いくつかの例では、受信するための手段は、発見期間中に最大ＳＦＮが超過される回数を示すためにＳＦＮ拡張パラメータを受信するための手段を含み得る。いくつかの例では、受信するための手段は、発見期間の開始と固定時間ベース基準ポイントとの間のオフセットを示す発見オフセットパラメータを受信するための手段を含み得る。いくつかの例では、受信するための手段は、発見期間内のどのサブフレームが発見リソースとして利用可能であるかを示す発見サブフレームパラメータを受信するための手段を含み得る。受信するための手段は、発見リソースとして利用可能なサブフレーム内で各発見信号のために使用されるべきＲＢの数を示す発見ＲＢ長さパラメータを受信するための手段を含み得る。受信するための手段はまた、発見リソースとして利用可能なサブフレーム内で各発見信号のために使用されるべきＲＢの開始ポイントおよび終了ポイントを示す発見ＲＢ開始および終了ポイントパラメータを受信するための手段を含み得る。
【００１８】
[0018]例示的な実施形態の別のセットによれば、ワイヤレス通信のために構成された装置が、少なくとも１つのプロセッサと、少なくとも１つのプロセッサに結合されたメモリとを含み得る。少なくとも１つのプロセッサは、ユーザデバイスにおいてデバイス間発見のための複数のパラメータを受信するように構成され得、複数のパラメータは、発見リソースがデバイス間発見のために利用可能である発見期間を識別する発見期間パラメータを含む。少なくとも１つのプロセッサはまた、他のユーザデバイスとともに発見に参加するために複数のパラメータを使用するように構成され得る。
【００１９】
[0019]いくつかの例では、プロセッサは、発見期間中に最大ＳＦＮが超過される回数を示すためにＳＦＮ拡張パラメータを受信するようにさらに構成され得る。いくつかの他の例では、プロセッサは、発見期間の開始と固定時間ベースの基準ポイントとの間のオフセットを示す発見オフセットパラメータを受信するようにさらに構成され得る。プロセッサは、発見期間内のどのサブフレームが発見リソースとして利用可能であるかを示す発見サブフレームパラメータを受信するようにさらに構成され得る。プロセッサは、発見リソースとして利用可能なサブフレーム内で各発見信号のために使用されるべきＲＢの数を示す発見ＲＢ長さパラメータを受信するようにさらに構成され得る。他のいくつかの例では、プロセッサは、発見リソースとして利用可能なサブフレーム内で各発見信号のために使用されるべきＲＢの開始ポイントおよび終了ポイントを示す発見ＲＢ開始および終了ポイントパラメータを受信するようにさらに構成され得る。
【００２０】
[0020]いくつかの例では、複数のパラメータは、発見信号送信に関する電力レベルを示す送信電力パラメータをさらに含む。他の例では、発見のために使用されるリソースが異なる電力ゾーンに区分されるとき、送信電力パラメータは複数の送信電力パラメータであり得、複数の送信電力パラメータの各々は、対応する電力ゾーンに関連付けられ、それぞれの電力レベルにおける発見信号送信のために使用されるサブフレームを示す関連するビットマップを有する。
【００２１】
[0021]例示的な実施形態の別のセットによれば、コンピュータプログラム製品が、非一時的プログラムコードを記録した非一時的コンピュータ可読媒体を含み得る。非一時的プログラムコードは、ユーザデバイスにおいてデバイス間発見のための複数のパラメータを受信するためのプログラムコードを含み得、複数のパラメータは、発見リソースがデバイス間発見のために利用可能である発見期間を識別する発見期間パラメータを含む。非一時的プログラムコードはまた、他のユーザデバイスとともに発見に参加するために複数のパラメータを使用するためのプログラムコードを含み得る。
【００２２】
[0022]いくつかの例では、プログラムコードは、発見期間中に最大ＳＦＮが超過される回数を示すためにＳＦＮ拡張パラメータを受信するためのプログラムコードをさらに含み得る。いくつかの他の例では、プログラムコードは、発見期間の開始と固定時間ベースの基準ポイントとの間のオフセットを示す発見オフセットパラメータを受信するためのプログラムコードをさらに含み得る。場合によっては、プログラムコードは、発見期間内のどのサブフレームが発見リソースとして利用可能であるかを示す発見サブフレームパラメータを受信するためのプログラムコードをさらに含み得る。いくつかの例では、プログラムコードは、発見リソースとして利用可能なサブフレーム内で各発見信号のために使用されるべきＲＢの数を示す発見ＲＢ長さパラメータを受信するためのプログラムコードをさらに含み得る。プログラムコードは、発見リソースとして利用可能なサブフレーム内で各発見信号のために使用されるべきＲＢの開始ポイントおよび終了ポイントを示す発見ＲＢ開始および終了ポイントパラメータを受信するためのプログラムコードをさらに含み得る。
【００２３】
[0023]例示的な実施形態の別のセットによれば、ワイヤレス通信のための方法は、複数のユーザデバイスにデバイス間発見のための複数のパラメータを送信することを含み得、複数のパラメータは、発見リソースがデバイス間発見のために利用可能である発見期間を識別する発見期間パラメータを含む。
【００２４】
[0024]いくつかの例では、発見期間は最大ＳＦＮの倍数であり得、ユーザデバイスに送信される複数のパラメータは、発見期間中に最大ＳＦＮが超過される回数を示すためにＳＦＮ拡張パラメータをさらに含む。他の例では、ユーザデバイスに送信される複数のパラメータは、発見期間の開始と固定時間ベースの基準ポイントとの間のオフセットを示す発見オフセットパラメータをさらに含み得る。
【００２５】
[0025]いくつかの例では、ユーザデバイスに送信される複数のパラメータは、発見期間内のどのサブフレームが発見リソースとして利用可能であるかを示す発見サブフレームパラメータをさらに含み得る。ユーザデバイスに送信される複数のパラメータはまた、発見リソースとして利用可能なサブフレーム内で各発見信号のために使用されるべきＲＢの数を示す発見ＲＢ長さパラメータをさらに含み得る。いくつかの例では、ユーザデバイスに送信される複数のパラメータは、発見リソースとして利用可能なサブフレーム内で各発見信号のために使用されるべきＲＢの開始ポイントおよび終了ポイントを示す発見ＲＢ開始および終了ポイントパラメータをさらに含み得る。
【００２６】
[0026]いくつかの例では、本方法は、システムブロードキャストメッセージ中で異なる周波数のために複数のパラメータの送信を繰り返すことを含み得る。さらに、いくつかの例では、本方法は、システムブロードキャストメッセージ中で異なるパブリックランドモバイルネットワーク（ＰＬＭＮ）のために複数のパラメータの送信を繰り返すことを含み得る。
【００２７】
[0027]説明する方法および装置の適用可能性のさらなる範囲は、以下の発明を実施するための形態、特許請求の範囲、および図面から明らかになろう。発明を実施するための形態の範囲内の様々な変更および改変が当業者に明らかになろうから、発明を実施するための形態および特定の例は例示としてのみ与えられる。
【００２８】
[0028]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。本明細書において第１の参照ラベルのみが使用される場合、説明は、第２の参照ラベルにかかわらず、同じ第１の参照ラベルを有する同様の構成要素のいずれか１つに適用可能である。
【図面の簡単な説明】
【００２９】
【図１】[0029]様々な実施形態による、ワイヤレス通信システムの一例のブロック図。
【図２】[0030]様々な実施形態による、デバイス間発見およびワイヤレス通信のためのシステムの一例のブロック図。
【図３】[0031]様々な実施形態による、発見システム情報ブロック（ＳＩＢ）の一例のブロック図。
【図４Ａ】[0032]様々な実施形態による、デバイス間発見に関与するユーザデバイス間の例示的な通信を示すメッセージフロー図。
【図４Ｂ】[0033]様々な実施形態による、デバイス間発見に関与するユーザデバイス間の例示的な通信を示すブロック図。
【図５】[0034]様々な実施形態による、ユーザデバイスの一例のブロック図。
【図６】[0035]様々な実施形態による、ユーザデバイス中のピア発見モジュールの一例のブロック図。
【図７】[0036]様々な実施形態による、発見期間モジュールの一例のブロック図。
【図８】[0037]様々な実施形態による、ユーザデバイスの一例のブロック図。
【図９】[0038]様々な実施形態による、基地局の一例のブロック図。
【図１０】[0039]様々な実施形態による、基地局中の発見パラメータモジュールの一例のブロック図。
【図１１】[0040]実施形態による、ワイヤレス通信のための方法のフローチャート。
【図１２】実施形態による、ワイヤレス通信のための方法のフローチャート。
【図１３】実施形態による、ワイヤレス通信のための方法のフローチャート。
【図１４】実施形態による、ワイヤレス通信のための方法のフローチャート。
【図１５】実施形態による、ワイヤレス通信のための方法のフローチャート。
【発明を実施するための形態】
【００３０】
[0041]典型的には、ユーザデバイスは、ワイヤレス通信システムの基地局と通信することによってワイヤレス通信に関与する。しかしながら、ユーザデバイスのユーザは、Ｄ２Ｄワイヤレス通信にも参加し得る。Ｄ２Ｄワイヤレス通信は、互いの範囲内にあるユーザデバイスが、基地局を通して通信する代わりに互いに直接通信することを可能にする。Ｄ２Ｄワイヤレス通信が望ましいときの一例は、ユーザデバイスが基地局のカバレージを離れるときである。サービスの中断を回避するために、カバレージエリアを離れたユーザデバイスは、ロングタームエボリューション（ＬＴＥ（登録商標））システムにおける直接ピア発見信号など、ピア発見メッセージをブロードキャストし得、このピア発見メッセージは、次いで、カバレージ内ユーザデバイスによって受信され得る。２つのユーザデバイスが互いを発見すると、カバレージ内ユーザデバイスは、カバレージ外ユーザデバイスと基地局との間のリレー（a relay）として働き得る。Ｄ２Ｄワイヤレス通信の他の使用法も存在する。しかしながら、Ｄ２Ｄワイヤレス通信は、ユーザデバイスがＤ２Ｄ発見プロセスを介して互いを発見することに依存し得る。Ｄ２Ｄ発見プロセスは、各ユーザデバイスが、他のユーザデバイスを発見するのに十分なパラメータで構成されるように協調され得る。
【００３１】
[0042]以下の説明は例を提供するものであり、特許請求の範囲に記載される範囲、適用可能性、または構成を限定するものではない。本開示の範囲から逸脱することなく、論じられる要素の機能および構成に変更が行われ得る。様々な実施形態は、適宜に、様々な手順または構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００３２】
[0043]最初に図１を参照すると、図はワイヤレス通信システム１００の例を示している。ワイヤレス通信システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラの制御下で通信デバイス１１５と通信し得る。基地局１０５は、バックホールリンク１３２を通してコアネットワーク１３０と制御情報またはユーザデータを通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号（modulated signals）を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号（reference signals）、制御チャネルなど）、オーバーヘッド情報、データなどを搬送し得る。
【００３３】
[0044]基地局１０５は、１つまたは複数の基地局アンテナを介してユーザデバイス１１５とワイヤレス通信し得る。基地局１０５サイトの各々は、それぞれのカバレージエリア１１０に通信カバレージを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局１０５のためのカバレージエリア１１０は、カバレージエリアの一部分のみを構成するセクタに分割され得る。システム１００は、異なるタイプの基地局１０５（たとえば、マクロ基地局、マイクロ基地局、またはピコ基地局）を含み得る。異なる技術について重複するカバレージエリアがあり得る。
【００３４】
[0045]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局１０５およびユーザデバイス１１５について説明するために使用され得る。システム１００は、異なるタイプの基地局１０５が様々な地理的領域にカバレージを提供する、異種ＬＴＥ／ＬＴＥ−Ａネットワークであり得る。たとえば、各基地局１０５は、マクロセル、ピコセル、フェムトセル、または他のタイプのセルに通信カバレージを与え得る。マクロセルは、概して、比較的大きい地理的エリア（たとえば、半径数キロメートル）をカバーし、ネットワークプロバイダのサービスに加入しているユーザデバイス１１５（user devices 115 with service subscriptions with the network provider）による無制限アクセスを可能にし得る。ピコセルは、概して、比較的小さい地理的エリアをカバーすることになり、ネットワークプロバイダのサービスに加入しているユーザデバイス１１５による無制限アクセスを可能にし得る。また、フェムトセルは、概して、比較的小さい地理的エリア（たとえば、自宅）をカバーすることになり、無制限アクセスに加えて、フェムトセルとの関連を有するユーザデバイス１１５（たとえば、限定加入者グループ（ＣＳＧ）中のユーザデバイス、自宅内のユーザのためのユーザデバイスなど）による制限付きアクセスをも提供し得る。マクロセル用の基地局１０５は、たとえば、マクロｅＮＢと呼ばれることがある。ピコセル用の基地局１０５はピコｅＮＢと呼ばれることがある。また、フェムトセル用の基地局１０５はフェムトｅＮＢまたはホームｅＮＢと呼ばれることがある。基地局１０５は、１つまたは複数（たとえば、２つ、３つ、４つなど）のセルをサポートし得る。
【００３５】
[0046]コアネットワーク１３０は、バックホールリンク１３２（たとえば、Ｓ１など）を介して基地局１０５と通信し得る。基地局１０５はまた、たとえば、バックホールリンク１３４（たとえば、Ｘ２など）を介してまたはバックホールリンク１３２を介して（たとえば、コアネットワーク１３０を通して）直接的または間接的に、互いに通信し得る。ワイヤレス通信システム１００は同期動作または非同期動作をサポートし得る。同期動作の場合、基地局１０５は同様のフレームタイミングを有し得、異なる基地局１０５からの送信は時間的に近似的に整合され（be approximately aligned in time）得る。非同期動作の場合、基地局１０５は異なるフレームタイミングを有し得、異なる基地局１０５からの送信は時間的に整合されないことがある。本明細書で説明する技法は、同期動作または非同期動作のいずれにも使用され得る。
【００３６】
[0047]基地局１０５はまた、それらのフレームタイミングおよび他のパラメータをユーザデバイス１１５に通信し得る。したがって、基地局１０５とユーザデバイス１１５との間のワイヤレス通信は、様々なコマンドおよびパラメータの送信を含み得る。基地局１０５からユーザデバイス１１５に通信され得るパラメータの中には、ユーザデバイス１１５がＤ２Ｄ発見に参加することを可能にするパラメータがある。これらの発見パラメータおよびそれらの通信は、以下の実施形態でさらに説明される。
【００３７】
[0048]ユーザデバイス１１５はワイヤレス通信システム１００全体にわたって分散され、各ユーザデバイス１１５は固定または移動であり得る。ユーザデバイス１１５は、当業者によって、ＵＥ、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、リレー、または何らかの他の好適な用語で呼ばれることもある。ユーザデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ユーザデバイス１１５は、マクロｅＮＢ、ピコｅＮＢ、フェムトｅＮＢ、リレーなどと通信することが可能であり得る。ユーザデバイス１１５−ａはまた、Ｄ２Ｄワイヤレス通信を介して別のユーザデバイス１１５と直接通信し得る。一例では、基地局１０５のカバレージエリア１１０内のユーザデバイス１１５は、基地局１０５のカバレージエリア１１０の外側にあるユーザデバイス１１５−ａのためのリレーとして働き得る。カバレージ内ユーザデバイス１１５は、基地局１０５からの通信をカバレージ外ユーザデバイス１１５−ａに中継（または再送信）し得る。同様に、カバレージ内ユーザデバイス１１５は、カバレージ外ユーザデバイス１１５−ａからの通信を基地局１０５に中継し得る。
【００３８】
[0049]ユーザデバイス１１５が基地局１０５と他のユーザデバイス１１５（たとえば、カバレージ外ユーザデバイス１１５−ａ）との間のリレーとして参加するために、ユーザデバイス１１５はＤ２Ｄ発見に参加し得る。Ｄ２Ｄ発見のタイミングは、基地局１０５からユーザデバイス１１５に送信されるパラメータによって支配され（be governed）得る。これらのパラメータおよびそれらの使用は以下でさらに詳細に説明される。
【００３９】
[0050]ワイヤレス通信システム１００中に示された通信リンク１２５は、ユーザデバイス１１５から基地局１０５へのアップリンク（ＵＬ）送信、または基地局１０５からユーザデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。
【００４０】
[0051]図２は、様々な実施形態がそれにおいて実装され得るシステム２００の一例のブロック図である。図２のシステム２００は、図１に関して説明したワイヤレス通信システム１００の一例であり得る。一構成では、基地局１０５−ａは、基地局１０５−ａのカバレージエリア１１０−ａ内に入る１つまたは複数のデバイスと通信し得る。カバレージ内ユーザデバイス１１５−ｂ−１は、基地局１０５−ａから／に通信を受信／送信し得る。１つまたは複数のユーザデバイス１１５−ｂ−２、１１５−ｂ−３、１１５−ｂ−４、１１５−ｂ−５は、基地局１０５−ａのカバレージエリア１１０−ａの外部にあり得、Ｄ２Ｄ通信に参加し得る。他のユーザデバイス１１５−ｂ−６は、基地局１０５−ａのカバレージエリア１１０−ａ内にあり得るが、Ｄ２Ｄ通信にも依然として参加し得る。基地局１０５−ａおよびユーザデバイス１１５−ｂは、図１に関して説明した基地局１０５およびユーザデバイス１１５の例であり得る。
【００４１】
[0052]一実施形態では、カバレージ内ユーザデバイス１１５−ｂ−１は、ピア発見信号２０５をブロードキャスト、マルチキャスト、またはユニキャストし得る。信号２０５は、カバレージ内またはカバレージ外のいずれかである１つまたは複数のユーザデバイス１１５−ｂに送られ得る。ピア発見信号２０５は、ロングタームエボリューション（ＬＴＥ）直接ピア発見信号であり得る。一構成では、信号２０５は、カバレージ内ユーザデバイス１１５−ｂ−１の識別子を含み得る。たとえば、識別子は、カバレージ内ユーザデバイス１１５−ｂ−１の媒体アクセス制御（ＭＡＣ）アドレスであり得る。さらに、ピア発見信号２０５は、ユーザデバイス１１５−ｂ−１のリレーステータスを含み得る。リレーステータスは、カバレージ内ユーザデバイス１１５−ｂ−１が１つまたは複数のカバレージ外ユーザデバイス１１５−ｂにリレーサービスを提供することが可能であるかどうかを示し得る。
【００４２】
[0053]一例では、カバレージ外ユーザデバイス１１５−ｂは、１つまたは複数のカバレージ内ユーザデバイス１１５−ｂの各々がリレーデバイスとして機能することが可能であることを示すピア発見信号を受信し得る。カバレージ外ユーザデバイス１１５−ｂは、次いで、リレーサービスを提供するためにカバレージ内ユーザデバイス１１５−ｂのうちの１つを選択し得る。どのカバレージ内ユーザデバイス１１５−ｂを選択すべきかに関する決定は、各カバレージ内ユーザデバイス１１５−ｂから受信されるピア発見信号の信号強度、カバレージ内ユーザデバイス１１５−ｂの識別情報、あるいは様々な他のファクタ（たとえば、各カバレージ内ユーザデバイス１１５−ｂの残りのバッテリー寿命（バッテリーで動作している場合）、各カバレージ内ユーザデバイス１１５−ｂによってサポートされる（１つまたは複数の）サービスの（１つまたは複数の）タイプ（リレーデバイスが、それらがどのサービスもしくはアプリケーションにリレーサービスを提供することが可能であるかもしくはそうする意思があるかに関して選択的である場合）、または各カバレージ内ユーザデバイス１１５−ｂがリレーサービスをそれに提供する意思がある（１つまたは複数の）無線技術に基づき得る。これらのファクタの一部または全部は、ピア発見信号から指示または導出され得る。それらのファクタの一部は、追加または代替として、カバレージ外ユーザデバイス１１５−ｂがリレーステータスおよび識別子情報をそれから受信した（１つまたは複数の）カバレージ内ユーザデバイス１１５−ｂを照会すること（querying）によって取得され得る。
【００４３】
[0054]一構成では、カバレージ外ユーザデバイス１１５−ｂは、１つまたは複数のカバレージ内ユーザデバイス１１５−ｂ−１にピア発見信号２０５を送信し得る。ピア発見信号は、カバレージ外ユーザデバイス１１５−ｂがカバレージ外であるか、またはリレーサービスを要求中であることを示し得る。この信号は、カバレージ外ユーザデバイス１１５−ｂの識別子を含み得る。一構成では、ユーザデバイス１１５−ｂは、それが基地局１０５−ａのカバレージエリア１１０−ａから出ようとしていることを検知したとき、ピア発見信号２０５をブロードキャストし得る。別の実施形態では、ユーザデバイス１１５−ｂは、それがカバレージエリア１１０−ａからすでに出た後に、信号２０５をブロードキャストし得る。
【００４４】
[0055]一例では、カバレージ外ユーザデバイス１１５−ｂ−２、１１５−ｂ−３は、互いに通信し得る。たとえば、ユーザデバイス１１５−ｂ−２、１１５−ｂ−３は、直接Ｄ２Ｄ接続を確立し得る。カバレージ内ユーザデバイス１１５−ｂ−１はまた、１つまたは複数のカバレージ外ユーザデバイス１１５−ｂにリレーサービスを提供し得る。一構成では、第１のカバレージ外ユーザデバイス１１５−ｂ−４は、第２のカバレージ外ユーザデバイス１１５−ｂ−５のためのリレーデバイスとして働き得る。第１のカバレージ外ユーザデバイス１１５−ｂ−４は、それ（１１５−ｂ−４）がリレーサービスを提供することが可能であることを第２のカバレージ外ユーザデバイス１１５−ｂ−５に知らせるために、ピア発見信号２０５を送信し得る。別の例として、第２のカバレージ外ユーザデバイス１１５−ｂ−５は、第１のカバレージ外ユーザデバイス１１５−ｂ−４からリレーサービスを要求する信号２０５を送信し得る。その結果、カバレージ内ユーザデバイス１１５−ｂ−１は、第１のカバレージ外ユーザデバイス１１５−ｂ−４から／に基地局１０５−ａに／から通信を中継し得る。第１のカバレージ外ユーザデバイス１１５−ｂ−４は、第２のカバレージ外ユーザデバイス１１５−ｂ−５から／に通信の少なくとも一部分を中継し得る。
【００４５】
[0056]追加の例として、２つのカバレージ内ユーザデバイス１１５−ｂ−１、１１５−ｂ−６はまた、直接Ｄ２Ｄ接続を介して互いに通信し得る。この例では、ユーザデバイス１１５−ｂ−６は、ユーザデバイス１１５−ｂ−６に近接した他のユーザデバイス１１５−ｂとの直接Ｄ２Ｄ接続を要求する信号２０５を送信し得る。ユーザデバイス１１５−ｂ−１は、要求を受信し、次いで、ユーザデバイス１１５−ｂ−６との直接Ｄ２Ｄ通信を開始し得る。
【００４６】
[0057]しかしながら、上記で説明したＤ２Ｄ通信の例のいずれかが行われ得る前に、ピア発見信号２０５を受信するユーザデバイス１１５は、信号２０５を実際に受信し復号することを可能にされ得る。有意に、受信ユーザデバイス１１５は、ピア発見信号２０５についていつリッスンすべきかを知る必要があり得る。同期展開では、タイミングの問題は、基地局１０５によってブロードキャストされる共通のシステムタイミングを使用することによって単純化され得る。しかしながら、非同期展開では、基地局１０５は、共通のシステムタイミングを共有しないことがある。したがって、ユーザデバイス１１５は、近接したユーザデバイス１１５から送られたピア発見信号のタイミングを学習あるいは受信し得る。
【００４７】
[0058]さらに、別のユーザデバイス１１５からピア発見信号２０５を受信しようとしているユーザデバイス１１５は、ピア発見信号２０５を送信するために、利用可能な時間周波数リソースのうちのどれが使用されているかを知り得る。さらに、所与の時間的瞬間においてＤ２Ｄ発見に関与するユーザデバイス１１５は変化する可能性があるので、ユーザデバイス１１５によって使用される発見プロトコルは周期的に実行され得る。ユーザデバイス１１５は、したがって、利用可能な発見リソースの周期性を知る必要を有し得る。
【００４８】
[0059]この通信を可能にするために、基地局１０５は、Ｄ２Ｄ発見を可能にすることになる必要なパラメータを送信することができる。これらの必要なパラメータは、たとえば、システム情報ブロック（ＳＩＢ）または専用無線リソース制御（ＲＲＣ）メッセージを介して送信され得る。
【００４９】
[0060]図３は、Ｄ２Ｄ発見に参加するためにユーザデバイス１１５によって使用される１つまたは複数のパラメータを搬送するＳＩＢメッセージ３００の一部の一例である。ＳＩＢメッセージ３００は、図１または図２に記載されているように、基地局１０５とユーザデバイス１１５との間でブロードキャストされるパラメータの一例である。ＳＩＢメッセージ３００は、既存のＳＩＢメッセージのいずれか１つにおいて実装され得るか、あるいは完全に新しいＳＩＢメッセージであり得る。図３に示された例は、ＳＩＢメッセージ３００が１つまたは複数の発見関係のパラメータを含むことを示す。これらは、発見期間パラメータ３０５、ＳＦＮ拡張パラメータ３１０、発見オフセットパラメータ３１５、発見サブフレームパラメータ３２０、発見ＲＢ長さパラメータ３２５、発見ＲＢ開始および終了ポイントパラメータ３３０、変調およびコーディングパラメータ３３５、同期信号の位置パラメータ３４０、送信電力パラメータ３４５、許可動作モードパラメータ３５０、共通または専用発見リソースパラメータ３５５、送信リソース選択方法パラメータ３６０、ＤＭＲＳ使用可能サイクリックシフトパラメータ３６５、ならびに他のパラメータ３７０を含む。これらのパラメータの各々は以下で詳細に説明される。ＳＩＢメッセージ３００は、図３に示された特定のパラメータを搬送することに限定されず、ＳＩＢメッセージ３００は、図示されたパラメータの各々を含む必要もない。
【００５０】
[0061]ＳＩＢメッセージ３００は、基地局１０５から１つまたは複数のユーザデバイス１１５に発見関係のパラメータを送信するために使用され得る。ＳＩＢメッセージ３００によって搬送されるパラメータは、代替的に、基地局１０５から１つまたは複数のユーザデバイス１１５に送信される専用ＲＲＣメッセージ中に含まれ得る。
【００５１】
[0062]図４Ａは、基地局１０５−ｂと（本明細書ではユーザデバイス１１５−ｃと総称される）ユーザデバイス１１５−ｃ−１および１１５−ｃ−２との間の通信の一実施形態を示すメッセージフロー図４００である。基地局１０５−ｂおよびユーザデバイス１１５−ｃは、図１または図２で説明した基地局１０５およびユーザデバイス１１５の例であり得る。ピア発見パラメータメッセージ４０５および４１０は、さらに、上記で説明したように、図３に関して説明したＳＩＢメッセージ３００の例であり得る。
【００５２】
[0063]一構成では、基地局１０５−ｂは、必要なピア発見パラメータをユーザデバイス１１５−ｃに送信し得る。基地局１０５−ｂは、ピア発見パラメータメッセージ４０５をユーザデバイス１１５−ｃ−１に送信する。ピア発見パラメータメッセージ４０５は（図３の）ＳＩＢメッセージ３００の一例であり得る。基地局１０５−ｂはまた、ピア発見パラメータメッセージ４１０をユーザデバイス１１５−ｃ−２に送信する。ピア発見パラメータメッセージ４１０も（図３の）ＳＩＢメッセージ３００の一例であり得る。ユーザデバイス１１５−ｃがピア発見パラメータを受信すると、ユーザデバイス１１５−ｃはＤ２Ｄ発見に参加することが可能である。
【００５３】
[0064]Ｄ２Ｄ発見の一例として、ユーザデバイス１１５−ｃ−１、１１５−ｃ−２は、発見のために予約されたリソースの中から発見リソースをそれぞれ選択するために、受信されたピア発見パラメータを使用することができる。代替的に、特定の発見リソースが、特定のユーザデバイス１１５に専用であり得るか、または基地局１０５−ｂによって特定のユーザデバイス１１５に割り当てられ得る。ユーザデバイス１１５−ｃ−１、１１５−ｃ−２は、各発見期間中に選択されたまたは割り当てられた発見リソース上で発見信号をそれぞれ送信する。ユーザデバイス１１５−ｃ−１、１１５−ｃ−２はまた、残りの発見リソース上で他のユーザデバイス１１５からの発見信号についてリッスンする。ユーザデバイス１１５が別のユーザデバイス１１５によって発見される（すなわち、ユーザデバイス１１５の発見信号が異なるユーザデバイス１１５によって受信される）と、受信ユーザデバイス１１５は、直接Ｄ２Ｄ通信を確立するために送信ユーザデバイス１１５に直接応答することができる。
【００５４】
[0065]したがって、図４Ａの例では、ユーザデバイス１１５−ｃ−２は第１のピア発見信号４１５を送信し、第１のピア発見信号４１５はユーザデバイス１１５−ｃ−１によって受信される。ユーザデバイス１１５−ｃ−１が（ブロック４２０において）ユーザデバイス１１５−ｃ−２とのＤ２Ｄ通信に参加することを選択すると、ユーザデバイス１１５−ｃ−１は、告知しているユーザデバイス１１５−ｃ−２に応答または第２のピア発見信号４２５を送信する。第１および第２のピア発見信号４１５、４２５の交換を通して、ユーザデバイス１１５−ｃ−１、１１５−ｃ−２は、互いとの直接Ｄ２Ｄ通信４３０に関与することを可能にされる。
【００５５】
[0066]Ｄ２Ｄ発見中のユーザデバイス間の通信の一例は図４Ｂにも示されている。図４Ｂに示されているように、リソース４５０は、Ｄ２Ｄ発見のためにならびにネットワーク通信のために割り振られ得る。したがって、図４Ｂに示されたリソース４５０は、図１、図２、または図４Ａに関して説明したように、ユーザデバイス１１５と基地局１０５との間の通信のいずれかの間に使用されるリソースの例であり得る。これらのリソースは、周期的に利用可能な発見期間４５５中に編成され（be organized）得る。発見期間４５５の１つの部分中に、発見サブフレーム４６０−１、４６０−２は、Ｄ２Ｄ発見における使用のために割り振られ得る。他のサブフレーム４６５−１、４６５−２、４６５−３は、ワイドエリアネットワーク（ＷＡＮ）通信などの非発見関係の通信のために予約される。特定の発見サブフレーム４６０−１、４６０−２およびそれらの使用は、（図４Ａを参照しながら説明したように）ピア発見パラメータメッセージ４０５、４１０によって指定され得る。
【００５６】
[0067]図５は、本開示の様々な態様による、ワイヤレス通信において使用するための装置５０５のブロック図５００の一例である。いくつかの例では、装置５０５は、図１、図２、または図４Ａを参照しながら説明したユーザデバイス１１５のうちの１つまたは複数の態様の一例であり得、図３のＳＩＢメッセージ３００に示されているようにＤ２Ｄパラメータを受信し得る。装置５０５はプロセッサでもあり得る。装置５０５は、受信機モジュール５１０、ピア発見モジュール５１５、または送信機モジュール５２０を含み得る。これらの構成要素の各々は互いに通信していることがある。
【００５７】
[0068]装置５０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令を用いて実装され得る。
【００５８】
[0069]いくつかの例では、受信機モジュール５１０は、無線周波数スペクトルにわたって送信を受信するように動作可能な少なくとも１つの無線周波数（ＲＦ）受信機など、少なくとも１つのＲＦ受信機を含み得る。いくつかの例では、無線周波数スペクトルは、たとえば、図２を参照しながら説明したように、ＬＴＥ／ＬＴＥ−Ａ通信のために使用され得る。受信機モジュール５１０は、図１を参照しながら説明したワイヤレス通信システム１００の１つまたは複数の通信リンク１２５など、ワイヤレス通信システムの１つまたは複数の通信リンクを介して様々なタイプのデータまたは制御信号（すなわち、送信）を受信するために使用され得る。受信機モジュール５１０によって受信されるデータまたは制御信号のタイプの例は、図３に関して説明したピア発見信号２０５、４１５、４２５、ＳＩＢメッセージ３００、および図２または図４Ａを参照しながら説明したピア発見パラメータメッセージ４０５、４１０を含む。
【００５９】
[0070]いくつかの例では、送信機モジュール５２０は、発見メッセージを送信するように動作可能な少なくとも１つのＲＦ送信機など、少なくとも１つのＲＦ送信機を含み得る。送信機モジュール５２０は、図１を参照しながら説明したワイヤレス通信システム１００の１つまたは複数の通信リンク１２５など、ワイヤレス通信システムの１つまたは複数の通信リンクを介して様々なタイプのデータまたは制御信号（すなわち、送信）を送信するために使用され得る。送信機モジュール５２０によって送信されるデータまたは制御信号のタイプの例は、図２または図４Ａを参照しながら説明したピア発見信号２０５、４１５、４２５を含む。
【００６０】
[0071]いくつかの例では、ピア発見モジュール５１５は、受信機モジュール５１０を介してピア発見信号２０５、４１５、４２５（図２および図４Ａを参照）の受信を管理するために、あるいは送信機モジュール５２０を介してピア発見信号２０５、４１５、４２５（図２または図４Ａを参照）の送信を管理するために使用され得る。ピア発見信号の受信および送信を管理することは、受信機モジュール５１０を介して（図４Ａの）ピア発見パラメータメッセージ４０５、４１０を受信することと、ピア発見信号２０５、４１５、４２５を受信および送信するプロセスに受信されたパラメータを適用することとを含み得る。
【００６１】
[0072]図６は、本開示の様々な態様による、ワイヤレス通信において使用するための（図５の）装置５０５の１つまたは複数の態様の一例であり得る、装置５０５−ａを含むブロック図６００を示す。いくつかの例では、装置５０５−ａは、図５の受信機モジュール５１０および送信機モジュール５２０の例である、受信機モジュール５１０−ａおよび送信機モジュール５２０−ａを含み得る。追加の例では、装置５０５−ａは、図５のピア発見モジュール５１５の１つまたは複数の態様の一例であり得る、ピア発見モジュール５１５−ａを含み得る。いくつかの例では、ピア発見モジュール５１５−ａは、発見期間モジュール６０５と、発見長さモジュール６１０と、変調、同期および電力モジュール６１５と、オプションおよびモードモジュール６２０とを含み得る。モジュール６０５、６１０、６１５、６２０はそれぞれ、（図４Ａの）１つまたは複数の発見パラメータメッセージ４０５、４１０中であるいは（図３の）ＳＩＢメッセージ３００中で受信され得る、Ｄ２Ｄ発見において様々なパラメータを受信し使用するためのものである。モジュール６０５、６１０、６１５、６２０の各々自体は、以下で説明するように、特定のパラメータを受信し使用するための様々なサブモジュールを含み得る。
【００６２】
[0073]発見期間モジュール６０５の一例が図７に示されている。図７は、本開示の様々な態様による、（図６の）発見期間モジュール６０５の態様の１つまたは複数の例のブロック図７００を示す。図７の例では、発見期間モジュール６０５は、発見期間サブモジュール７０５と、システムフレーム数（ＳＦＮ）拡張サブモジュール７１０と、発見オフセットサブモジュール７１５と、発見サブフレームサブモジュール７２０とを含み得る。
【００６３】
[0074]発見期間サブモジュール７０５は、（ユーザデバイス１１５などの）装置５０５が発見期間パラメータ３０５（図３を参照）を受信し処理することを可能にする。発見期間パラメータ３０５は、発見リソースがＤ２Ｄ発見のために利用可能である発見期間を識別する。発見期間パラメータ３０５は、時間期間を示す任意の値であり得る。一例では、発見期間パラメータ３０５は、ネットワークの最大ＳＦＮの整数分の１（たとえば、１／４、１／２など）または倍数（たとえば、１、２、３など）のいずれかである。ＬＴＥ構成では、最大ＳＦＮは１０．２４秒に等しい。したがって、発見期間パラメータ３０５は１０．２４秒の整数分の１または倍数であり得る。
【００６４】
[0075]発見期間は複数のサブフレームを含む。発見期間内のサブフレームはすべてＤ２Ｄ発見のために予約され得る。しかしながら、ユーザデバイスの非発見関係の通信との任意の干渉を低減するために、発見期間内のサブフレームのいくつかは他のネットワーク通信のために予約され得る。したがって、発見期間内のサブフレームのすべてが発見サブフレームとして予約されるとは限らない。実際、発見期間内の発見サブフレームは互いに隣接してないことさえある。したがって、発見期間パラメータ３０５は、リソース／サブフレームが隣接してない場合でも、利用可能な発見リソースのすべてを含むのに十分長い時間期間を定義する。
【００６５】
[0076]発見期間パラメータ３０５は基地局によって定義され、基地局は、次いで、発見期間によって定義される周期性で発見動作のために無線リソースプールを割り振る。基地局はまた、無線リソースがその中に割り振られたサブフレームが物理アップリンク共有チャネル（ＰＵＳＣＨ）送信のために利用可能でないことを保証する。ＲＲＣを介して接続されるユーザデバイスのために、基地局は、割り振られた発見リソースにかかり（fall on）得るどんなハイブリッド自動再送要求（ＨＡＲＱ）動作も中断されることを保証する。
【００６６】
[0077]割り当てられた発見期間中に、ユーザデバイスは発見信号を送信あるいは受信する。たとえば、告知者ユーザデバイス（発見信号を送信しているユーザデバイス）は、割り振られた無線リソースプールから無線リソースのうちの１つを選択し得、発見送信を実施し得る。ユーザデバイスは、次いで、他のユーザデバイスからの発見信号を監視するために発見期間中に発見サブフレームの残りを使用する。しかしながら、ユーザデバイスは他のイベントを優先させることができる。たとえば、利用可能な発見リソースが、たとえば、ページングなどと重複する場合、監視ユーザデバイスは、基地局からページングメッセージを受信するために発見を中断し得る。対照的に、ＲＲＣ＿ＣＯＮＮＥＣＴＥＤユーザデバイスは、割振り発見サブフレームと重複するどんなＨＡＲＱプロセスも中断されたと仮定することができる。
【００６７】
[0078]一実施形態では、発見期間パラメータ３０５を使用して複数の発見期間が設定され得る。各発見期間は、ユーザデバイスのクラスに対応することができる。発見クラスは、たとえば、加入権（subscription rights）に基づいてユーザデバイスに提供され得る。一例として、複数の発見期間を使用することにより、基地局は、ユーザデバイスが加速度的に発見され得るように、より高いクラスのユーザデバイスに、より高い発見期間周期性を割り当てることが可能になる。複数の発見期間があるとき、監視ユーザデバイスは、たとえば、ユーザデバイスの加入に基づいて、いくつかの発見期間のみに気づいているように構成され得る。代替的に、監視ユーザデバイスは、すべての利用可能な発見期間を監視するように構成され得る。また別の実施形態では、監視ユーザデバイスは、すべての利用可能な発見期間をユーザデバイスのユーザに示し得、したがって、利用可能な発見期間のどれが監視されるべきかをユーザが識別することを可能にし得る。
【００６８】
[0079]複数の発見期間はまた、異なるユーザデバイスが異なる番号付きのクラスのメンバーになるように構成することによって管理され得、ここで、クラス番号は、たとえば、ＳＩＢメッセージ中でブロードキャストされるベース発見期間の倍数を表す。このようにして、ユーザデバイスは、単一の発見期間パラメータ３０５を有する単一の共通ＳＩＢメッセージがブロードキャストされても、ユーザデバイスクラスに基づいて異なる発見期間を実装することができる。複数のパラメータの一部または全部は、ユーザデバイスのクラスに基づいて異なり得る。たとえば、パラメータは、ユーザデバイスのクラスに基づいて、異なる形態、長さ、オフセットなどを有し得る。
【００６９】
[0080]さらに、発見リソースは特定の目的のために割り振られ得る。たとえば、一実施形態では、いくつかの発見リソースは商用目的のために割り振られ得るが、他の発見リソースは公共安全目的のために割り振られる。別様に割り振られたリソースは異なる発見期間を有し得る。たとえば、ＳＩＢメッセージ３００中で搬送される発見期間パラメータ３０５は、発見期間が特定の目的のためであることを示すことができる。
【００７０】
[0081]発見期間モジュール６０５はまた、ＳＦＮ拡張サブモジュール７１０を含み得る。ＳＦＮ拡張サブモジュール７１０は、発見期間パラメータによって示された発見期間が最大ＳＦＮよりも長いときに使用され得る。一例として、発見期間が最大ＳＦＮの倍数であるとき、ＳＦＮ拡張サブモジュール７１０は、発見期間中に最大ＳＦＮが超過される回数を示すＳＦＮ拡張パラメータ３１０を受信する。ＳＦＮ拡張パラメータ３１０は、たとえば、単一の発見期間中にＳＦＮラップアラウンド（SFN wrap-around）が何回起きたかを通知するカウンタであり得る。ＳＦＮ拡張パラメータ３１０を使用して、発見リソースプールは、最大ＳＦＮを超える発見期間内の回数でも配置され得る。ＳＦＮが同じ発見期間内でラップアラウンドするたびにＳＦＮ拡張パラメータ３１０は１だけ増分される。最大拡張ＳＦＮが１０．２４秒の整数倍として発見期間に等しい、最大拡張ＳＦＮに達するとを意味する、発見期間が超えられると、ＳＦＮ拡張パラメータ３１０もラップアラウンドする。
【００７１】
[0082]複数の発見期間が、たとえば、ＳＩＢメッセージ内で識別された場合、最大拡張ＳＦＮは最大または最長発見期間になるように設定され得る。ＳＦＮ拡張パラメータ３１０の値は定期的に変化しているが、システム情報の変化を必ずしも表さないとき、ＳＦＮ拡張パラメータ３１０の増分時に（ＬＴＥシステムにおける）ｓｙｓｔｅｍＩｎｆｏＭｏｄｉｆｉｃａｔｉｏｎ  ＲＲＣメッセージまたはｓｙｓｔｅｍＩｎｆｏＭｏｄｉｆｉｃａｔｉｏｎページングメッセージは更新されないことがある。
【００７２】
[0083]告知者ユーザデバイスと監視ユーザデバイスの両方がＳＦＮ拡張パラメータ３１０を追跡する。これらのユーザデバイスは、たとえば、ＳＩＢメッセージがブロードキャストされるたびに値を検査することによってこれを行うことができる。代替的に、ユーザデバイスは、たとえば、ＳＦＮ拡張パラメータ３１０がＳＩＢメッセージから最初に収集された後にこのパラメータをローカル変数として記憶することができる。ローカル変数として記憶される場合、ユーザデバイスは、最大ＳＦＮが超えられるたびにＳＦＮ拡張パラメータ３１０の増分を処理する。同様に、ユーザデバイスは、発見期間または最大拡張ＳＦＮが過ぎるたびにＳＦＮ拡張パラメータ３１０のラップアラウンドを処理する。
【００７３】
[0084]発見期間モジュール６０５−ａはまた、発見オフセットサブモジュール７１５を含み得る。発見オフセットサブモジュール７１５は、発見期間の開始と固定時間ベースの基準ポイントとの間の何らかのオフセットを示す発見オフセットパラメータ３１５を受信する。一例として、固定時間ベースの基準ポイントは、ＳＦＮが０に等しく、いずれのＳＦＮ拡張も０に等しいときであり得る。監視ユーザデバイスと告知ユーザデバイスの両方は、発見オフセットパラメータ３１５を受信し、発見リソースプール開始ポイントを計算するためにそれの値を既知の基準ポイントに加算する。
【００７４】
[0085]複数の発見期間が発見期間パラメータ３０５によって示された場合、発見オフセットパラメータ３１５は、異なる対応するオフセット値をも示す。たとえば、発見期間パラメータ３０５が、ユーザデバイスのクラスタイプ（たとえば、商用クラス、公共安全クラスなど）に基づいて異なる発見期間を示すとき、ユーザデバイスは、それらのクラスタイプと対応するオフセットを適用する。発見オフセットパラメータはまた、発見期間の開始と、送信プールと受信プールの両方のための固定時間ベースの基準ポイントとの間のオフセットを示し得る。いくつかの例では、ネイバー受信プールオフセットも、サービングセルの固定基準ポイントに関して示され得る。
【００７５】
[0086]発見期間モジュール６０５−ａはまた、発見サブフレームサブモジュール７２０を含み得る。割り振られた発見サブフレームがあらゆる発見期間中に利用可能である間、利用可能な発見サブフレームは隣接していないことがある。発見期間内の発見サブフレームは、ユーザデバイスが期間のあまりにも長い間非発見アクティビティ（non-discovery activities）を無視しないように、グルーピング（groupings）に分けられ（be broken）得る。言い換えれば、非発見サブフレームには、発見サブフレームが点在している（be interspersed）ことがある。したがって、発見サブフレームサブモジュール７２０は、発見期間内のどのサブフレームが発見リソースとして利用可能であるかを示す発見サブフレームパラメータ３２０を受信することができる。発見サブフレームパラメータ３２０は、どのサブフレームが発見目的のために割り振られており、どのサブフレームが非発見目的のために（たとえば、ワイドエリアネットワーク（ＷＡＮ）目的のために）割り振られているかを示すビットマップであり得る。
【００７６】
[0087]発見サブフレームビットマップは、発見リソースが各発見期間をそこから開始する開始ポイントを示すことができる。一例として、ビットマップ中で、対応するサブフレームが発見のために割り振られる場合、ビットは「１」に設定され得る。そうではなく、対応するサブフレームが、たとえば、ＷＡＮ動作のために割り振られる場合、ビットは「０」に設定される。
【００７７】
[0088]監視ユーザデバイスと告知ユーザデバイスは両方とも、利用可能な発見サブフレームを識別するために発見サブフレームパラメータ３２０ビットマップを使用する。複数の発見期間が異なるクラスまたはタイプ（たとえば、商用または公共安全クラス）について存在する場合、発見サブフレームパラメータ３２０は、すべての発見期間に適用可能な単一のビットマップを含むことができるか、あるいは発見サブフレームパラメータ３２０は、異なる発見期間のために複数の異なるビットマップを含むことができる。
【００７８】
[0089]代替として、発見サブフレームパラメータ３２０はビットマップである必要はない。代わりに、発見サブフレームパラメータ３２０は、隣接する発見サブフレームの連続する長さと、発見サブフレーム間のギャップの長さとを示す値のストリング（a string）であり得る。このようにして、発見サブフレームパラメータ３２０は、利用可能な発見サブフレーム、ならびにＷＡＮ動作のために利用可能なサブフレームを十分に表す。代替的に、発見サブフレームパラメータ３２０は、発見期間ごとに発見動作のために予約されたいくつかのＨＡＲＱプロセスに対応するサブフレームを表すことができる。
【００７９】
[0090]発見期間モジュール６０５に加えて、ピア発見モジュール５１５はまた、図６に示されているように、発見長さモジュール６１０と、変調、同期および電力モジュール６１５と、オプションおよびモードモジュール６２０とを含む。発見長さ６１０は、直接的にまたは様々なサブモジュールを通して、様々な発見パラメータを受信し使用することが可能である。
【００８０】
[0091]たとえば、発見長さモジュール６１０を通して受信される１つのパラメータは、発見ＲＢ長さパラメータ３２５である。発見ＲＢ長さパラメータ３２５は、発見リソースとして利用可能なサブフレーム内で各発見信号のために使用されるべきＲＢの数を示す。発見ＲＢ長さパラメータ３２５は単一の値であり得、その場合、すべての利用可能な発見サブフレームはその所与の数の発見ＲＢを含む。代替的に、発見ＲＢ長さパラメータ３２５は複数の値であり得、各値は、サブフレームの各パーティション内で利用可能なＲＢの長さまたは数を表す。さらに、発見ＲＢ長さパラメータ３２５はまた、ユーザデバイスの異なるクラスまたはタイプについて異なるＲＢ長さを示し得る。
【００８１】
[0092]告知者ユーザデバイスは、発見信号の送信のために利用可能な適切な発見リソースを見つけるために発見ＲＢ長さパラメータ３２５を使用する。対照的に、監視ユーザデバイスは、復号動作を実施するために物理レイヤにおいて要求される必要なサイズを定義するために発見ＲＢ長さパラメータ３２５を使用する。
【００８２】
[0093]発見長さモジュール６１０を通して受信される追加のパラメータは、発見ＲＢ開始および終了ポイントパラメータ３３０を含む。これらのパラメータは、ＲＢの割り振られたセットが各パーティション中のどこで開始ならびに停止するかの決定を可能にするために、発見ＲＢ長さパラメータ３２５とともに使用される。これは、ＰＵＣＣＨ送信が依然として使用中であり得るように、レガシーＷＡＮ動作が発見リソースと重複するときに重要であり得る。
【００８３】
[0094]使用中に、告知者ユーザデバイスは、発見信号送信のために適切な発見リソースを見つけるために、発見ＲＢ長さパラメータ３２５とともに受信された開始ポイントを使用する。これは、たとえば、発見ＲＢ長さパラメータ３２５値に等しい長さのスライディングウィンドウを使用し、受信された開始ポイントから開始し、受信された終了ポイントにおいて終了することによって行われ得る。スライディングウィンドウによってフレーム化されたリソースは、次いで、それが適切であるかどうかを決定するために分析され得る（たとえば、リソースのエネルギーレベルが測定され得、比較され得る）。これは、適切な発見リソースが見つかるまで繰り返され得る。一方、監視ユーザデバイスは、発見信号をいつ復号し始めるべきかを決定するために発見ＲＢ開始および終了ポイントパラメータ３３０を使用する。復号は、発見開始ポイントから、発見ＲＢ長さパラメータ３２５の値に等しい長さのステップで、各発見サブフレーム中で発見終了ポイントに達するまで続く。
【００８４】
[0095]変調、同期および電力モジュール６１５はまた、直接的にまたはサブモジュールを通して、様々な発見パラメータを受信し得る。変調、同期および電力モジュール６１５において受信されるパラメータの１つのセットは、変調およびコーディングパラメータ３３５である。変調およびコーディングパラメータ３３５は、発見信号送信に関する変調およびコーディング方式を示す。これらのパラメータは、ユーザデバイスのすべてのタイプに共通であり得るか、または代替的にユーザデバイスのクラスの異なるタイプについて異なり得る。告知者ユーザデバイスは変調およびコーディング方式を設定するためにこのパラメータを使用するが、監視ユーザデバイスは、適切な復号動作を実施するようにそれぞれの物理レイヤに命令するためにこのパラメータを使用する。
【００８５】
[0096]変調、同期および電力モジュール６１５において受信される別のパラメータは、同期信号の位置パラメータ３４０である。基地局は同期信号をブロードキャストする。ユーザデバイスが第１の基地局のカバレージエリアから異なる基地局のカバレージエリアにシフトするとき、ユーザデバイスは、その異なる基地局から同期信号を収集する必要がある。これを可能にするために、第１の基地局のカバレージ中のユーザデバイスは、その基地局の同期信号を他の基地局のカバレージ中のユーザデバイスにフォワーディングする（forward）ことができ、このようにして、ユーザデバイスのすべてがより容易に第１の基地局に同期することが可能になる。しかしながら、ユーザデバイスから基地局の同期信号を送信するために使用される無線リソースは、基地局によって設定されるように変化し得る。したがって、ユーザデバイスによってフォワーディングされる、これらの同期信号のロケーションは、同期信号の位置パラメータ３４０の受信によって示され得る。
【００８６】
[0097]同期信号パラメータ３４０が特に有用であるときの一例は、ユーザデバイスがそれの基地局に極めて近いときである。たとえば、第１のユーザデバイスが別のユーザデバイスの発見範囲内にあるが、第１のユーザデバイスがあまりにもそれ自体の基地局に近い場合、第１のユーザデバイスは、第２のユーザデバイスの基地局によって送信された同期信号を復号することが可能でないことがある。この問題に対抗する（counter）ために、他のユーザデバイス、すなわち、第１のユーザデバイスとともに発見に参加しているユーザデバイスは、それの関連する基地局の同期信号を中継し得る。同期信号は、たとえば、他のユーザデバイスのそれぞれのマクロのための割振りの第１のサブフレーム中で中継され得る。中継される同期信号は、他のユーザデバイスのマクロによって送信される１次／２次同期信号（ＰＳＳ／ＳＳＳ）と同じであり得る。中継される同期信号も、再送されるＰＳＳであり得る。中継される同期信号の電力を増加させるために、マクロに関連するすべてのユーザデバイスは、同じ時間および周波数リソース上で送信することになる。したがって、多くの異なるユーザデバイスからのエネルギーは、受信側第１のユーザデバイスにおいて合算される。大部分が重複する割振りを有するユーザデバイスの別の非隣接マクロの同期信号と発見信号との間の重複の可能性を低減するために、時間および周波数リソースは、第１のサブフレームの第１の少数のシンボル上にあり（be located）得る。さらに、同期信号が送信される周波数は、大部分が重複する割振りを有する非隣接マクロについて異なり得る。これにより、同期信号を受信するユーザデバイスは、異なるマクロの同期信号の間で区別することが可能になる。ユーザデバイスによる同期信号の中継は、それぞれの基地局によって制御され得る。たとえば、異なる基地局は、同期信号を異なる周期性でブロードキャストするようにユーザデバイスに命令し得る。さらに、同期信号のブロードキャストは、ユーザデバイスのいくつかのクラスのみに限定され得る。代替的に、ユーザデバイスは、同期信号ブロードキャストのためにランダムに選択され得る。
【００８７】
[0098]しかしながら、上述のように、これらの同期信号の位置は、異なる基地局について異なり得る。したがって、同期信号の位置パラメータ３４０は、近隣基地局に関する信号の位置を示すことができる。これにより、監視ユーザデバイスは、たとえば、他のユーザデバイスによって近隣基地局の特定の同期信号が中継されるときにその同期信号をどのように受信すべきかを知ることが可能になる。
【００８８】
[0099]変調、同期および電力モジュール６１５において受信される別のパラメータは送信電力パラメータ３４５である。必要に応じて、発見動作は、使用される電力内に制限される必要があり得る。したがって、送信電力パラメータ３４５が受信され得、発見信号送信のための電力レベルを示す。送信電力パラメータ３４５がない場合、ユーザデバイスは、発見動作のためにそれの最大電力を使用することが可能である。さもなければ、ユーザデバイスは、パラメータの値に基づいて電力制限されることになる。
【００８９】
[0100]一実施形態では、割り振られた発見リソースのすべては、異なる送信電力ゾーンに区分され得る。複数の電力ゾーンのこの場合、送信電力パラメータ３４５は、各ゾーンの送信電力値に加えて、各ゾーンを定義する開始および終了ポイントを示す。このようにして、送信電力パラメータ３４５は、割り当てられたまたは選択された発見リソースにおいて指定された電力レベルで発見信号を送信するために、告知者ユーザデバイスによって使用される。
【００９０】
[0101]一例として、発見リソースは、低電力ゾーンまたは高電力ゾーンのいずれかに区分され得る。低電力リソースおよび高電力リソースはそれぞれ時間領域多重化（ＴＤＭ）あるいは周波数領域多重化（ＦＤＭ）され得る。電力ゾーンがＦＤＭされるとき、送信電力パラメータ３４５は、発見のために割り振られたサブフレームを通常表すビットマップであり得、低電力リソースと高電力リソースの両方の開始ポイントおよび終了ポイントが示される。代替的に、電力ゾーンの開始ポイントおよび終了ポイントは、開始ＲＢ位置と、低電力リソースまたは高電力リソースのいずれかのためのＲＢ長さとの形式で示され得る。そのサブフレーム中のリソースの残りは、他の残りの電力レベルのために予約される。告知者ユーザデバイスは、発見サブフレーム中で低電力リソースおよび高電力リソースを見つける計算を実施するために電力送信パラメータをこのように使用することができる。監視ユーザデバイスは、所望される場合、低電力リソースと高電力リソースの両方を監視することができる。しかしながら、別の実施形態では、ユーザデバイスが、低電力リソースまたは高電力リソースの一方のみを監視することを可能にされたクラスのメンバーである場合、監視ユーザデバイスは、発見サブフレーム中で特定の低電力または高電力リソースプールの位置を特定する（locate）計算をも実施し得る。
【００９１】
[0102]低電力リソースおよび高電力リソースがＴＤＭされるとき、電力送信パラメータは、低電力用の発見サブフレームを示すビットマップ、および高電力用の発見サブフレームのためのビットマップという、２つの別個のビットマップであり得る。一実施形態では、基準ポイントからの１つの共通オフセットは、発見サブフレームビットマップの開始位置を示すことができる。したがって、この状況では、一方のリソースプールは、示されたオフセットにおいて開始するが、他方のリソースプールは、オフセット＋初期リソースのビットマップ長さにおいて開始する。対照的に、異なる実施形態では、電力送信パラメータは、低電力および高電力のために基準ポイントからの別個のオフセットを含み得る。また別の実施形態では、低電力リソースおよび高電力リソースは、サブフレームによってインターリーブされ得、共通の基準ポイントから同じオフセットを有し得る。とはいえ、インターリーブされたビットマップの各々は、同じ長さである必要はなく、異なる長さでもあり得る。この実施形態では、ユーザデバイスは、すべての発見サブフレームならびにすべてのＷＡＮ動作サブフレームを識別するために両方のビットマップを組み合わせる。また別の実施形態では、ビットマップの長さも示され得る。
【００９２】
[0103]低電力リソースおよび高電力リソースがＴＤＭされるとき、告知者ユーザデバイスは、ユーザデバイスをサービスする基地局によって要求されるように低電力ゾーンまたは高電力ゾーンのいずれかを使用する。対照的に、監視ユーザデバイスは低電力リソースと高電力リソースの両方を監視することができる。しかしながら、いくつかの実施形態では、監視ユーザデバイスは、ただ１つのタイプの電力リソースを監視することにクラスによって制限される。また別の実施形態では、異なる電力ゾーンは異なる周期性を有することができる。たとえば、わずか少数のサブフレームを使用する低い最大電力ゾーンと、高速デューティサイクルとの組合せは、短距離発見のために有益であり得る。
【００９３】
[0104]（図６の）オプションおよびモードモジュール６２０は、なお一層の発見パラメータを受信することができる。オプションおよびモードモジュール６２０によってあるいはオプションおよびモードモジュール６２０内のサブモジュールによって受信される１つのパラメータは、動作モードパラメータ３５０である。動作モードパラメータ３５０は、発見が、ユーザデバイスが接続モードのときに行われ得るか、アイドルモードのときに行われ得るか、またはその両方で行われ得るかを示す。これらのモードは、通常、ＲＲＣ＿ＣＯＮＮＥＣＴＥＤモードまたはＲＲＣ＿ＩＤＬＥモードのいずれかとして示される。さらに、発見信号の送信と発見信号の受信は、異なる許可モード設定を有し得ることが可能である。このようにして、許可動作モードパラメータ３５０は、所望の発見アクティビティを条件とする（contingent）何らかの設定を示し得る。したがって、動作モードパラメータは、告知ユーザデバイスと監視ユーザデバイスの両方について同じであり得るが、異なることもでき得る。もちろん、ユーザデバイスは、発見に参加する前に許可状態に遷移することを許可され得る。さらに、動作モードパラメータは、ユーザデバイスのクラスに基づいて変化することができる。
【００９４】
[0105]オプションおよびモードモジュール６２０によってあるいはオプションおよびモードモジュール６２０内のサブモジュールによって受信される別のパラメータは、共通または専用発見リソースプールパラメータである。このパラメータは、発見リソースがユーザデバイスに共通であるかどうか、または特定の発見リソースが特定のユーザデバイスに専用であるかどうかを示す。ネットワーク構成に応じて、いくつかのユーザデバイスは、利用可能な発見リソースから発見無線リソースを自律的に（autonomously）選択することによって、共通の発見プールにおいて発見送信を実施する。対照的に、他のユーザデバイスは、発見信号送信のために専用リソースを割り当てられ得る。
【００９５】
[0106]共通および専用リソースはＦＤＭまたはＴＤＭされ得る。リソースがＦＤＭされる場合、共通または専用発見リソースプールパラメータは、発見のために割り振られたサブフレームを表す、共通にアクセスされるビットマップであり得、共通発見リソースと専用発見リソースの両方の開始ポイントおよび終了ポイントが示される。開始ポイントおよび終了ポイントは、共通または専用リソースのいずれかのＲＢ長さと、ＲＢの開始位置との形式で示され得る。そのサブフレーム中のリソースの残りは、他方の残りのタイプ（共通または専用のいずれか）のために予約される。告知者ユーザデバイスは、発見サブフレーム中で共通および専用リソースを見つける計算を実施するために共通または専用発見リソースプールパラメータをこのように使用することができる。監視ユーザデバイスは、所望される場合、共通リソースと専用リソースの両方を監視することができる。しかしながら、別の実施形態では、ユーザデバイスが、共通リソースまたは専用リソースの一方のみを監視することを可能にされたクラスのメンバーである場合、監視ユーザデバイスは、発見サブフレーム中で特定の共通または専用リソースプールの位置を特定する（locate）計算をも実施し得る。
【００９６】
[0107]共通および専用リソースがＴＤＭされるとき、共通または専用発見リソースプールパラメータのために、共通発見サブフレームと専用発見サブフレームとについて別個のビットマップが使用され得る。一実施形態では、基準ポイントからの１つの共通オフセットは、発見サブフレームビットマップの開始位置を示すことができる。したがって、この状況では、一方のリソースプールは、示されたオフセットにおいて開始するが、他方のリソースプールは、オフセット＋初期リソースのビットマップ長さにおいて開始する。対照的に、異なる実施形態では、共通または専用発見リソースプールパラメータは、共通リソースおよび専用リソースのために基準ポイントからの別個のオフセットを含み得る。また別の実施形態では、共通および専用リソースビットマップは、サブフレームによってインターリーブされ得、共通の基準ポイントから同じオフセットを有し得る。とはいえ、インターリーブされたビットマップの各々は、同じ長さである必要はなく、異なる長さでもあり得る。この実施形態では、ユーザデバイスは、すべての発見サブフレームならびにすべてのＷＡＮ動作サブフレームを識別するために両方のビットマップを組み合わせる。また別の実施形態では、ビットマップの長さも示され得る。
【００９７】
[0108]共通および専用リソースがＴＤＭされるとき、告知者ユーザデバイスは、ユーザデバイスの基地局によって要求されるように共通リソースまたは専用リソースのいずれかを使用する。対照的に、監視ユーザデバイスは、共通リソースと専用リソースの両方を監視することができる。しかしながら、いくつかの実施形態では、監視ユーザデバイスは、ただ１つのタイプのリソースを監視することにクラスによって制限される。また別の実施形態では、異なるリソースタイプは異なる周期性を有することができる。
【００９８】
[0109]オプションおよびモードモジュール６２０によってあるいはオプションおよびモードモジュール６２０内のサブモジュールによって受信される別のパラメータは、送信リソース選択方法パラメータ３６０である。このパラメータ３６０は、利用可能な発見リソースのうちのどれが発見信号送信のために使用されるべきかを選択するためにユーザデバイスによって使用される方法を示す。たとえば、リソース選択方法パラメータ３６０は、ユーザデバイスが、（ユーザデバイスによって受信されたすべての他のパラメータに従って）ユーザデバイスにとって利用可能な発見リソースからランダムに選択すべきであることを示し得る。代替的に、このパラメータ３６０は、利用可能なリソースのエネルギーレベルに基づいて発見リソースを選択するようにユーザデバイスに命令し得る。たとえば、ユーザデバイスが、所与のリソースに関するエネルギーレベルがしきい値を超えることを検出した場合、ユーザデバイスは、そのリソースを使用せず、代わりに、より低いエネルギーレベルを有するリソースを使用することを選択し得る。第３の代替形態として、送信リソース選択方法パラメータ３６０は、リソースを一緒にグループ化するためにユーザデバイスがリソースを選択すべきであることを示し得る。
【００９９】
[0110]オプションおよびモードモジュール６２０によってあるいはオプションおよびモードモジュール６２０内のサブモジュールによって受信されるまた別のパラメータは、復調基準信号（ＤＭＲＳ）使用可能サイクリックシフトパラメータである。このパラメータは、どのＤＭＲＳサイクリックシフトが利用可能であるかと、ＤＭＲＳシフトの時間変動パターンとを示す。
【０１００】
[0111]たとえば、オプションおよびモードモジュール６２０を介してユーザデバイスによって受信され得る追加のパラメータは、システム時間パラメータと、専用リソースが割り当てられ得る持続時間に関係するパラメータとを含む。これらのパラメータは、（図３のＳＩＢメッセージ３００に関して）他のパラメータ３７０のカテゴリーの下で受信され得る。システム時間パラメータは、すべてのユーザデバイスについて同じである、システムまたは壁時計時間（a system, or wall clock time）を示す。システム時間パラメータはシステム時間を提供し、このシステム時間は、次いで、送信されるべき発見メッセージ上でハッシュ演算を実施するためにセキュリティキーとともに使用され得る。システム時間パラメータは、ＳＩＢ１６から送信されるように使用され得るか、または代替的に、新しい発見ＳＩＢメッセージ中のパラメータとして使用され得る。ハッシング（hashing）のためにシステム時間を使用することの代替として、ネットワークが同期式である場合、ＳＦＮまたは拡張ＳＦＮが使用され得る。さらなる代替として、近隣基地局間で共有される共有カウンタ値が、（ハッシュ演算のために）システム時間の代わりに使用され得る。システム時間パラメータの値が定期的に変化するが、システム情報の変化を必ずしも表さないとき、システム時間パラメータの増分時に（ＬＴＥシステムにおける）ｓｙｓｔｅｍＩｎｆｏＶａｌｕｅＴａｇメッセージまたはｓｙｓｔｅｍＩｎｆｏＭｏｄｉｆｉｃａｔｉｏｎページングメッセージは更新されないことがある。
【０１０１】
[0112]専用発見リソースは、ある時間期間（たとえば、いくつかの発見期間、またはいくつかの発見送信）の間のみに専用であり得るので、割り当てられた専用発見リソースの期間におけるこの数または制限は、ユーザデバイスによって受信される発見パラメータとしても含まれ得る。同様に、ユーザデバイスは、送信のために使用される専用リソースが再割り当てされたとユーザデバイスが仮定し得る前に行われ得る空の発見送信の数における制限を、発見パラメータとしても受信し得る。
【０１０２】
[0113]上記で説明したパラメータの全部または一部は、ユーザデバイスにそれらのそれぞれの基地局からブロードキャストされ得、ここで、受信されるパラメータは、受信ユーザデバイスに対応する基地局に特に関係する。しかしながら、基地局はまた、上記で説明したパラメータの全部または一部が近隣基地局に関係するとき、それらのパラメータをブロードキャストし得る。近隣基地局に関係するブロードキャストパラメータはまた、たとえば、発見ＳＩＢメッセージ３００（図３を参照）中でブロードキャストされ得る。近隣基地局に関係するパラメータの各々がブロードキャストされ得るが、より関連するパラメータのいくつかは、いくつかの例では、発見期間およびＳＦＮ拡張パラメータ３０５、３１０と、発見サブフレームパラメータ３２０と、発見オフセットパラメータ３１５と、発見ＲＢ長さパラメータ３２５と、発見ＲＢ開始および終了ポイントパラメータ３３０と、同期信号の位置パラメータ３４０とを含み得る。たいていの場合、パラメータのいずれかが近隣基地局について紛失している（missing）場合、ユーザデバイスは、ユーザデバイスを現在サービスしている基地局のためのパラメータを使用することを試みることができる。特に、ネイバー基地局のための同期信号の位置パラメータ３４０が提供されるべき間に、近隣基地局について他のパラメータのいずれかがないことは、近隣基地局についての値と、現在の基地局についての値とが同じであることを単に意味し得る。
【０１０３】
[0114]上記で説明したパラメータの全部または一部はまた、近傍中の（in the neighborhood）各周波数についておよび／または（パブリックランドモバイルネットワーク（ＰＬＭＮ）などの）各ネットワークについて提供され得る。複数のキャリアネットワークが発見のために１つのキャリア周波数を共有し得るか、または、２次基地局に関係する発見情報を１次基地局がブロードキャストするキャリアアグリゲーションがあり得ることが可能である。この場合、発見ＳＩＢメッセージは、発見が実施される周波数に関係する情報をも搬送することになる。
【０１０４】
[0115]発見ＳＩＢメッセージのフォーマットが更新されたとき、すべてのユーザデバイスは、更新が必要とされることを通知される必要があり得る。したがって、基地局は、ユーザデバイスがリセットし更新し得るという命令を（たとえば、ＳＩＢメッセージまたはページングメッセージの一部として）ブロードキャストすることができる。
【０１０５】
[0116]たとえば、更新は、告知者ユーザデバイスが基地局からＤ２Ｄ表現コードを取得することを望み、監視ユーザデバイスが１つまたは複数のユーザデバイスを監視するためにＤ２Ｄフィルタを取得することを望むとき、行われる必要があり得る。基地局は、更新された表現コードまたはフィルタコードをすべてのユーザデバイスが受信することを望むときさえあり得る。一例として、基地局は、（ＰｒｏＳｅ命令を介して命令を受信していることがある）モビリティ管理エンティティ（ＭＭＥ）から更新するようにとの、すべての接続されたユーザデバイスへの命令を受信し得る。基地局が命令を受信すると、基地局は、ユーザデバイスがリセットし更新し得るという命令を（たとえば、ＳＩＢメッセージまたはページングメッセージの一部として）ブロードキャストし得る。
【０１０６】
[0117]別の例として、ＳＩＢメッセージ（たとえば、ＳＩＢメッセージ３００）が変化し、Ｄ２Ｄ発見に参加しているユーザデバイスにこの変化が示されるべきであるとき、基地局は、ＳＩＢメッセージに変化があることを示すページメッセージを送り得る。ページメッセージは、Ｄ２Ｄ発見のために使用されるＳＩＢメッセージに変化があるという指示を含み得る。このようにして、Ｄ２Ｄ発見に参加しているユーザデバイスのみが、ＳＩＢメッセージを更新する必要があることになる。Ｄ２Ｄ発見に参加していない他のユーザデバイスは、更新せよという要求を無視し得る。
【０１０７】
[0118]図８は、本開示の様々な態様による、ワイヤレス通信において使用するためのユーザデバイス８１５のブロック図８００を示す。ユーザデバイス８１５は様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれ得るか、またはその一部であり得る。ユーザデバイス８１５は、いくつかの例では、モバイル動作を可能にするために、小型バッテリーなどの内部電源を有し得る。いくつかの例では、ユーザデバイス８１５は、図１、図２、図４Ａ、図５、または図６を参照しながら説明したユーザデバイス１１５または装置５０５のうちの１つの１つまたは複数の態様の一例であり得る。ユーザデバイス８１５は、図１、図２、図３、図４Ａ、図５、図６、または図７を参照しながら説明した特徴および機能のうちの少なくともいくつかを実装するように構成され得る。
【０１０８】
[0119]ユーザデバイス８１５は、プロセッサモジュール８０５、メモリモジュール８１０、（（１つまたは複数の）トランシーバモジュール８３０によって表される）少なくとも１つのトランシーバモジュール、（（１つまたは複数の）アンテナ８３５によって表される）少なくとも１つのアンテナ、あるいはピア発見モジュール５１５−ｂを含み得る。これらの構成要素の各々は、１つまたは複数のバス８２５を介して、直接的または間接的に、互いに通信していることがある。
【０１０９】
[0120]メモリモジュール８１０は、ランダムアクセスメモリ（ＲＡＭ）または読取り専用メモリ（ＲＯＭ）を含み得る。メモリモジュール８１０は、実行されたとき、プロセッサモジュール８０５に、たとえば、発見関係のメッセージを通信するための本明細書で説明する様々な機能を実施させるように構成された命令を含んでいる、コンピュータ可読、コンピュータ実行可能ソフトウェア（ＳＷ）コード８２０を記憶し得る。代替的に、ソフトウェアコード８２０は、プロセッサモジュール８０５によって直接実行可能でないことがあるが、（たとえば、コンパイルされ実行されたとき）ユーザデバイス８１５に本明細書で説明する様々な機能を実施させるように構成され得る。
【０１１０】
[0121]プロセッサモジュール８０５は、インテリジェントハードウェアデバイス、たとえば、ＣＰＵ、マイクロコントローラ、ＡＳＩＣなどを含み得る。プロセッサモジュール８０５は、（１つまたは複数の）トランシーバモジュール８３０を通して受信された情報、または（１つまたは複数の）アンテナ８３５を通した送信のために（１つまたは複数の）トランシーバモジュール８３０に送られるべき情報を処理し得る。プロセッサモジュール８０５は、単独でまたはピア発見モジュール５１５−ｂとともに、発見パラメータを受信し管理する様々な態様を扱い得る。
【０１１１】
[0122]（１つまたは複数の）トランシーバモジュール８３０は、パケットを変調し、変調されたパケットを送信のために（１つまたは複数の）アンテナ８３５に提供し、（１つまたは複数の）アンテナ８３５から受信されたパケットを復調するように構成されたモデムを含み得る。（１つまたは複数の）トランシーバモジュール８３０は、いくつかの例では、１つまたは複数の送信機モジュールおよび１つまたは複数の別個の受信機モジュールとして実装され得る。（１つまたは複数の）トランシーバモジュール８３０は、発見関係の通信をサポートし得る。（１つまたは複数の）トランシーバモジュール８３０は、図１または図２を参照しながら説明した基地局１０５のうちの１つまたは複数と、（１つまたは複数の）アンテナ８３５を介して双方向に通信するように構成され得る。ユーザデバイス８１５は単一のアンテナ８３５を含み得るが、ユーザデバイス８１５が複数のアンテナ８３５を含み得る例があり得る。
【０１１２】
[0123]ピア発見モジュール５１５−ｂは、Ｄ２Ｄ発見に関係する図１、図２、図３、図４Ａ、図５、図６、または図７を参照しながら説明した特徴または機能の一部または全部を実施または制御するように構成され得る。たとえば、ピア発見モジュール５１５−ｂは、上記で説明し、たとえば、（図３に示されているように）発見ＳＩＢメッセージ３００中で識別される発見パラメータの一部または全部の受信および管理をサポートするように構成され得る。いくつかの例では、例として、ピア発見モジュール５１５−ｂは、図５、図６または図７を参照しながら説明したピア発見モジュール５１５のうちの１つまたは複数の態様の一例であり得る。ピア発見モジュール５１５−ｂは、（図６または図７の発見期間モジュール６０５の一例であり得る）発見期間モジュール６０５−ａと、（図６の発見長さモジュール６１０の一例であり得る）発見長さモジュール６１０−ａと、（図６の変調、同期および電力モジュール６１５の一例であり得る）変調、同期および電力モジュール６１５−ａと、（図６のオプションおよびモードモジュール６２０の一例であり得る）オプションおよびモードモジュール６２０−ａとを含み得る。ピア発見モジュール５１５−ｂまたはそれの部分は、プロセッサを含み得、あるいはピア発見モジュール５１５−ｂの機能の一部または全部は、プロセッサモジュール８０５によってまたはプロセッサモジュール８０５とともに実施され得る。
【０１１３】
[0124]図９は、本開示の様々な態様による、ワイヤレス通信において使用するための装置９０５のブロック図９００の一例である。いくつかの例では、装置９０５は、図１、図２、または図４Ａを参照しながら説明した基地局１０５のうちの１つまたは複数の態様の一例であり得る。装置９０５はプロセッサでもあり得る。装置９０５は、発見パラメータ割当てモジュール９１０および／または送信機モジュール９１５を含み得る。これらの構成要素の各々は互いに通信していることがある。
【０１１４】
[0125]装置９０５の構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令を用いて実装され得る。
【０１１５】
[0126]いくつかの例では、送信機モジュール９１５は、少なくとも上記で識別された発見パラメータを送信するように動作可能な少なくとも１つのＲＦ送信機など、少なくとも１つのＲＦ送信機を含み得る。送信機モジュール９１５は、図１を参照しながら説明したワイヤレス通信システム１００の１つまたは複数の通信リンク１２５など、ワイヤレス通信システムの１つまたは複数の通信リンクを介して様々なタイプのデータまたは制御信号（すなわち、送信）を送信するために使用され得る。送信機モジュール９１５によって送信されるデータまたは制御信号のタイプの例は、図２および図４Ａを参照しながら説明したピア発見パラメータメッセージ４０５、４１０を含む。
【０１１６】
[0127]いくつかの例では、発見パラメータ割当てモジュール９１０は、送信機モジュール９１５を介したピア発見パラメータメッセージ４０５、４１０（図４Ａを参照）の送信を管理するために使用され得る。ピア発見パラメータメッセージ４０５、４１０を管理することは、たとえば、発見ＳＩＢメッセージ、または専用ＲＲＣメッセージをポピュレートすること（populating）を含み得る。
【０１１７】
[0128]図１０は、本開示の様々な態様による、ワイヤレス通信において使用するための装置９０５−ａの態様の１つまたは複数の例のブロック図１０００を示す。装置９０５−ａは、図９において説明した装置９０５の一例であり得る。装置９０５−ａは、発見パラメータ割当てモジュール９１０−ａと送信機モジュール９１５−ａの両方を含み得る。装置９０５−ａはまた、受信機モジュール１００５を含み得る。
【０１１８】
[0129]装置９０５−ａの構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令を用いて実装され得る。
【０１１９】
[0130]いくつかの例では、送信機モジュール９１５−ａは、少なくとも上記で識別された発見パラメータを送信するように動作可能な少なくとも１つのＲＦ送信機など、少なくとも１つのＲＦ送信機を含み得る。送信機モジュール９１５−ａは、図９を参照しながら説明した送信機モジュール９１５の一例であり得る。送信機モジュール９１５−ａは、図１を参照しながら説明したワイヤレス通信システム１００の１つまたは複数の通信リンク１２５など、ワイヤレス通信システムの１つまたは複数の通信リンクを介して様々なタイプのデータまたは制御信号（すなわち、送信）を送信するために使用され得る。送信機モジュール９１５によって送信されるデータまたは制御信号のタイプの例は、図２または図４Ａを参照しながら説明したピア発見パラメータメッセージ４０５、４１０を含む。
【０１２０】
[0131]いくつかの例では、受信機モジュール１００５は、図１、図２、図４Ａ、図５、図６、図７、図８、または図９を参照しながら説明したユーザデバイス１１５および装置５０５からワイヤレス通信を受信するように動作可能な少なくとも１つのＲＦ受信機など、少なくとも１つのＲＦ受信機を含み得る。
【０１２１】
[0132]いくつかの例では、発見パラメータ割当てモジュール９１０−ａは、送信機モジュール９１５を介したピア発見パラメータメッセージ４０５、４１０（図４Ａを参照）の送信を管理するために使用され得る。発見パラメータ割当てモジュール９１０−ａは、図９に関して説明した発見パラメータ割当てモジュール９１０の一例であり得る。発見パラメータ割当てモジュール９１０−ａは、たとえば、ＳＩＢメッセージまたは専用ＲＲＣ発見メッセージをポピュレートし得る。いくつかの例では、発見パラメータ割当てモジュール９１０−ａは、上記で説明した発見パラメータのうちの１つまたは複数を決定するかあるいはそれらをＳＩＢ発見メッセージまたは専用ＲＲＣ発見メッセージ中に挿入することによって、ＳＩＢまたは専用ＲＲＣ発見メッセージをポピュレートする。たとえば、発見パラメータ割当てモジュール９１０−ａは、発見パラメータを決定またはポピュレートする様々なモジュールを含み得る。発見期間割当てモジュール１０１０は、発見期間パラメータ３０５と、ＳＦＮ拡張パラメータ３１０と、発見オフセットパラメータ３１５と、発見サブフレームパラメータ３２０とについて上記で説明したように、これらのパラメータを決定またはポピュレートするために使用され得る。ＲＢ割振りモジュール１０１５は、発見ＲＢ長さパラメータ３２５と発見ＲＢ開始および終了ポイントパラメータ３３０とを決定またはポピュレートするために使用され得る。変調、同期および電力モジュール１０２０は、変調およびコーディングパラメータと、同期信号の位置パラメータ３４０と、送信電力パラメータ３４５とを決定またはポピュレートするために使用され得る。オプションおよびモードモジュール１０２５は、許可動作モードパラメータ３５０と、共通または専用発見リソースパラメータ３５５と、送信リソース選択方法パラメータ３６０と、ＤＭＲＳ使用可能サイクリックシフトパラメータ３６５とを決定またはポピュレートするために使用され得る。発見パラメータ割当てモジュール９１０−ａによるパラメータのいずれへの操作も、様々なモジュールおよびサブモジュール内で行われ得、図１０に示された例によって限定されるものではない。さらに、システム時間パラメータ、および専用リソースが割り当てられ得る持続時間に関係するパラメータなど、追加のパラメータが発見パラメータ割当てモジュール９１０−ａによって生成またはポピュレートされ得る。
【０１２２】
[0133]図１１は、本開示の様々な態様による、ワイヤレス通信のための方法１１００の一例を示すフローチャートである。明快のために、方法１１００は、図１、図２、図４Ａ、または図８を参照しながら説明したユーザデバイス１１５のうちの１つまたは複数の態様、あるいは図５、図６、または図７を参照しながら説明した装置５０５のうちの１つまたは複数の態様に関して以下で説明される。いくつかの例では、ユーザデバイス１１５のうちの１つなどのユーザデバイス、または装置５０５のうちの１つなどの装置は、以下で説明する機能を実施するようにユーザデバイスまたは装置の機能要素を制御するためのコードの１つまたは複数のセットを実行し得る。
【０１２３】
[0134]ブロック１１０５において、方法１１００は、Ｄ２Ｄ発見のためのパラメータを受信することを含み得る。受信されたパラメータは、上記で説明したように、発見期間パラメータ３０５を含み得る。受信されたパラメータはまた、上記で説明した他の発見パラメータのいずれか１つまたは複数を含み得る。すなわち、受信されたパラメータは、発見期間パラメータ３０５と、ＳＦＮ拡張パラメータ３１０と、発見オフセットパラメータ３１５と、発見サブフレームパラメータ３２０と、発見ＲＢ長さパラメータ３２５と、発見ＲＢ開始および終了ポイントパラメータ３３０と、変調およびコーディングパラメータ３３５と、同期信号の位置パラメータ３４０と、送信電力パラメータ３４５と、許可動作モードパラメータ３５０と、共通または専用発見リソースパラメータ３５５と、送信リソース選択方法パラメータ３６０と、ＤＭＲＳ使用可能サイクリックシフトパラメータ３６５と、システム時間パラメータと、専用リソースが割り当てられ得る持続時間に関係するパラメータとのうちのいずれか１つまたは複数を含み得る。他の発見関係のパラメータが同様に受信され得る。
【０１２４】
[0135]ブロック１１１０において、方法１１００は、Ｄ２Ｄ発見に参加するために受信されたパラメータを使用することを含み得る。受信されたパラメータは、たとえば、発見リソースを使用するためにユーザデバイスによって使用され得る。
【０１２５】
[0136]いくつかの実施形態では、ブロック１１０５または１１１０における動作は、図５、図６、図７、または図８を参照しながら説明したピア発見モジュール５１５を使用して実施され得る。
【０１２６】
[0137]したがって、方法１１００はワイヤレス通信のために使用され得る。方法１１００は一実装形態にすぎず、方法１１００の動作は、他の実装形態が可能であるように再構成されるかまたは別の方法で修正され得ることに留意されたい。
【０１２７】
[0138]図１２は、本開示の様々な態様による、ワイヤレス通信のための方法１２００の一例を示すフローチャートである。明快のために、方法１２００は、図１、図２、図４Ａ、または図８を参照しながら説明したユーザデバイス１１５のうちの１つまたは複数の態様、あるいは図５、図６、または図７を参照しながら説明した装置５０５のうちの１つまたは複数の態様に関して以下で説明される。いくつかの例では、ユーザデバイス１１５のうちの１つなどのユーザデバイス、または装置５０５のうちの１つなどの装置は、以下で説明する機能を実施するようにユーザデバイスまたは装置の機能要素を制御するためのコードの１つまたは複数のセットを実行し得る。
【０１２８】
[0139]ブロック１２０５において、方法１２００は、発見期間パラメータ３０５を受信することを含み得る。受信された発見期間パラメータ３０５は、発見リソースがＤ２Ｄ発見のために利用可能である発見期間を識別する。受信された発見期間パラメータ３０５はまた、Ｄ２Ｄ発見のために利用可能な複数の発見期間を識別し得る。
【０１２９】
[0140]ブロック１２１０において、受信された発見期間がＳＦＮの倍数である場合、方法１２００は、ブロック１２１５において、ＳＦＮ拡張パラメータ３１０を受信し得る。ＳＦＮ拡張パラメータ３１０は、受信された発見期間中に最大ＳＦＮが超過される回数を示し得る。受信された発見期間がＳＦＮの倍数でない場合、方法１２００は、ＳＦＮ拡張パラメータ３１０の受信を必要としないことがある。
【０１３０】
[0141]ブロック１２２０において、方法１２００は、発見オフセットパラメータ３１５を受信することを含み得る。発見オフセットパラメータ３１５は、発見期間の開始と、固定時間ベースの基準ポイントとの間のオフセットを示し得る。一例として、固定時間ベースの基準ポイントは、ＳＦＮと、いずれの拡張ＳＦＮも、両方とも０に等しいときであり得る。いくつかの例では、発見オフセットパラメータは、発見期間の開始と、送信プールと受信プールの両方のための固定時間ベースの基準ポイントとの間のオフセットを示し得る。いくつかの例では、ネイバー受信プールオフセットも、ユーザデバイスまたは装置のサービングセルの固定基準ポイントに関して示され得る。
【０１３１】
[0142]ブロック１２２５において、方法１２００は、発見サブフレームパラメータを受信することを含み得る。発見サブフレームパラメータは、発見期間内のどのサブフレームが発見リソースとして利用可能であるかを示し得る。発見サブフレームパラメータは、１つまたは複数のビットマップの形式であり得る。
【０１３２】
[0143]ブロック１２３０において、方法１２００は、発見ＲＢ長さパラメータ３２５を受信することを含み得る。発見ＲＢ長さパラメータ３２５は、発見リソースとして利用可能なサブフレーム内で各発見信号のために使用されるべきＲＢの数を示し得る。
【０１３３】
[0144]ブロック１２３５において、方法１２００は、発見ＲＢ開始および終了ポイントパラメータ３３０を受信することを含み得る。発見ＲＢ開始および終了ポイントパラメータ３３０は、発見リソースとして利用可能なサブフレーム内で各発見信号のために使用されるべき１つまたは複数のリソースブロックの開始ポイントおよび終了ポイントを示すために発見ＲＢ長さパラメータ３２５とともに使用される。
【０１３４】
[0145]ブロック１２４０において、方法１２００は、Ｄ２Ｄ発見に参加するために受信されたパラメータのいずれか１つまたは複数を使用することを含み得る。受信されたパラメータは、たとえば、発見リソースを使用するためにユーザデバイスによって使用され得る。方法１２００は図１２に示されているようにフォローされ（be followed）得るが、パラメータの受信順序およびタイプは、図１２において識別されたパラメータの特定の受信順序およびタイプに限定される必要はない。言い換えれば、ブロック１２０５〜１２３５は異なる順序で行われ得、これらのブロックによって示されるパラメータのすべてが、ブロック１２４０において受信されたパラメータのいずれか１つまたは複数を使用することが行われる前に受信されるとは限らない。
【０１３５】
[0146]いくつかの実施形態では、ブロック１２０５、１２１０、１２１５、１２２０、１２２５、１２３０、１２３５、または１２４０における動作は、図５、図６、図７、または図８を参照しながら説明したピア発見モジュール５１５を使用して実施され得る。
【０１３６】
[0147]したがって、方法１２００はワイヤレス通信のために使用され得る。方法１２００は一実装形態にすぎず、方法１２００の動作は、他の実装形態が可能であるように再構成されるかまたは別の方法で修正され得ることに留意されたい。
【０１３７】
[0148]図１３は、本開示の様々な態様による、ワイヤレス通信のための方法１３００の一例を示すフローチャートである。明快のために、方法１３００は、図１、図２、図４Ａ、または図８を参照しながら説明したユーザデバイス１１５のうちの１つまたは複数の態様、あるいは図５、図６、または図７を参照しながら説明した装置５０５のうちの１つまたは複数の態様に関して以下で説明される。いくつかの例では、ユーザデバイス１１５のうちの１つなどのユーザデバイス、または装置５０５のうちの１つなどの装置は、以下で説明する機能を実施するようにユーザデバイスまたは装置の機能要素を制御するためのコードの１つまたは複数のセットを実行し得る。
【０１３８】
[0149]ブロック１３０５において、方法１３００は、発見期間パラメータ３０５を受信することを含み得る。受信された発見期間パラメータ３０５は、発見リソースがＤ２Ｄ発見のために利用可能である発見期間を識別する。受信された発見期間パラメータ３０５はまた、Ｄ２Ｄ発見のために利用可能な複数の発見期間を識別し得る。
【０１３９】
[0150]ブロック１３１０において、方法１３００は、変調およびコーディングパラメータ３３５を受信することを含み得る。変調およびコーディングパラメータ３３５は、発見信号送信のための変調およびコーディング方式を示し得る。
【０１４０】
[0151]ブロック１３１５において、方法１３００は、同期信号の位置パラメータ３４０を受信することを含み得る。同期信号の位置パラメータ３４０は、同期信号がネイバー基地局のユーザデバイスによってフォワーディングされるように、ネイバー基地局のその同期信号の位置を示し得る。したがって、同期信号パラメータ３４０は、同期信号が別のユーザデバイスによってフォワーディングされるように、ユーザデバイスが同期信号を受信することを可能にする。
【０１４１】
[0152]ブロック１３２０において、方法１３００は、送信電力パラメータ３４５を受信することを含み得る。送信電力パラメータ３４５は、発見信号送信に関する電力レベルを示し得る。利用可能な発見リソースは異なる電力ゾーンに区分され得る。これが当てはまるとき、送信電力パラメータ３４５は、特定の発見リソースがどの電力ゾーン中にあるか（located）を示すために使用され得る。送信電力パラメータ３４５はビットマップの形式であり得る。
【０１４２】
[0153]ブロック１３２５において、方法１３００は、許可動作モードパラメータ３５０を受信することを含み得る。許可動作モードパラメータ３５０は、発見がユーザデバイスの接続モード中に行われ得るかアイドルモード中に行われ得るかを示し得る。
【０１４３】
[0154]ブロック１３３０において、方法１３００は、共通または専用発見リソースプールパラメータ３５５を受信することを含み得る。利用可能な発見リソースは共通であり得るか、あるいは特定のユーザデバイスの使用に専用であり得る。共通リソースプールパラメータまたは専用発見リソースプールパラメータは、利用可能な発見リソースが共通であるかあるいは専用リソースとして割り当てられるかを示し得る。共通または専用発見リソースプールパラメータ３３５は１つまたは複数のビットマップの形式であり得る。発見リソースが周波数領域多重化されるとき、ただ１つのビットマップが必要とされる。発見リソースが時間領域多重化されるとき、２つのビットマップが使用され得る。一例では、発見リソースが時間領域多重化されるとき、共通発見リソースプールパラメータは、共通発見リソースを示す第１のビットマップであり得、専用発見リソースプールパラメータは、専用発見リソースを示す第２のビットマップである。
【０１４４】
[0155]ブロック１３３５において、方法１３００は、送信リソース選択方法パラメータ３６０を受信することを含み得る。送信リソース選択方法パラメータ３６０は、利用可能な発見リソースのうちのどれが発見信号送信のために使用されるべきかを選択するためにユーザデバイスによって使用される方法を示し得る。
【０１４５】
[0156]ブロック１３４０において、方法１３００は、ＤＭＲＳ使用可能サイクリックシフトパラメータ３６５を受信することを含み得る。ＤＭＲＳ使用可能サイクリックシフトパラメータ３６５は、どのＤＭＲＳサイクリックシフトが利用可能であるかと、ＤＭＲＳサイクリックシフトの時間変動パターンとを示し得る。
【０１４６】
[0157]ブロック１３４５において、方法１３００は、Ｄ２Ｄ発見に参加するために受信されたパラメータのいずれか１つまたは複数を使用することを含み得る。受信されたパラメータは、たとえば、発見リソースを使用するためにユーザデバイスによって使用され得る。方法１３００は図１３に示されているようにフォローされ得るが、パラメータの受信順序およびタイプは、図１３において識別されたパラメータの特定の受信順序およびタイプに限定される必要はない。言い換えれば、ブロック１３０５〜１３４０は異なる順序で行われ得、これらのブロックによって示されるパラメータのすべてが、ブロック１３４５において受信されたパラメータのいずれか１つまたは複数を使用することが行われる前に受信されるとは限らない。
【０１４７】
[0158]方法１３００のさらなる例では、ユーザデバイスは、システムブロードキャストメッセージ中で異なる周波数上で複数のパラメータの一部または全部を受信し得る。さらなる例では、ユーザデバイスは、システムブロードキャストメッセージ中で異なるパブリックランドモバイルネットワークのために複数のパラメータの一部または全部を受信し得る。
【０１４８】
[0159]いくつかの実施形態では、ブロック１３０５、１３１０、１３１５、１３２０、１３２５、１３３０、１３３５、または１３４０における動作は、図５、図６、図７、または図８を参照しながら説明したピア発見モジュール５１５を使用して実施され得る。
【０１４９】
[0160]したがって、方法１３００はワイヤレス通信のために使用され得る。方法１３００は一実装形態にすぎず、方法１３００の動作は、他の実装形態が可能であるように再構成されるかまたは別の方法で修正され得ることに留意されたい。
【０１５０】
[0161]図１４は、本開示の様々な態様による、ワイヤレス通信のための方法１４００の一例を示すフローチャートである。明快のために、方法１４００は、図１、図２、または図４Ａを参照しながら説明した基地局１０５のうちの１つまたは複数の態様、あるいは図９または図１０を参照しながら説明した装置９０５のうちの１つまたは複数の態様に関して以下で説明される。いくつかの例では、基地局１０５のうちの１つなどの基地局、または装置９０５のうちの１つなどの装置は、以下で説明する機能を実施するように基地局または装置の機能要素を制御するためのコードの１つまたは複数のセットを実行し得る。
【０１５１】
[0162]ブロック１４０５において、方法１４００は、発見期間パラメータ３０５を送信することを含み得る。送信された発見期間パラメータ３０５は、発見リソースがＤ２Ｄ発見のために利用可能である発見期間を識別する。送信された発見期間パラメータ３０５はまた、Ｄ２Ｄ発見のために利用可能な複数の発見期間を識別し得る。
【０１５２】
[0163]ブロック１４１０において、送信された発見期間がＳＦＮの倍数である場合、方法１４００は、ブロック１４１５において、ＳＦＮ拡張パラメータ３１０を送信し得る。ＳＦＮ拡張パラメータ３１０は、送信された発見期間中に最大ＳＦＮが超過される回数を示し得る。送信された発見期間がＳＦＮの倍数でない場合、方法１４００は、ＳＦＮ拡張パラメータ３１０の送信を必要としないことがある。
【０１５３】
[0164]ブロック１４２０において、方法１４００は、発見オフセットパラメータ３１５を送信することを含み得る。発見オフセットパラメータ３１５は、発見期間の開始と、固定時間ベースの基準ポイントとの間のオフセットを示し得る。一例として、固定時間ベースの基準ポイントは、ＳＦＮと、いずれの拡張ＳＦＮも、両方とも０に等しいときであり得る。いくつかの例では、発見オフセットパラメータは、発見期間の開始と、送信プールと受信プールの両方のための固定時間ベースの基準ポイントとの間のオフセットを示し得る。いくつかの例では、ネイバー受信プールオフセットも、サービングセルの固定基準ポイントに関して示され得る。
【０１５４】
[0165]ブロック１４２５において、方法１４００は、発見サブフレームパラメータを送信することを含み得る。発見サブフレームパラメータは、発見期間内のどのサブフレームが発見リソースとして利用可能であるかを示し得る。発見サブフレームパラメータは、１つまたは複数のビットマップの形式であり得る。
【０１５５】
[0166]ブロック１４３０において、方法１４００は、発見ＲＢ長さパラメータ３２５を送信することを含み得る。発見ＲＢ長さパラメータ３２５は、発見リソースとして利用可能なサブフレーム内で各発見信号のために使用されるべきＲＢの数を示し得る。
【０１５６】
[0167]ブロック１４３５において、方法１４００は、発見ＲＢ開始および終了ポイントパラメータ３３０を送信することを含み得る。発見ＲＢ開始および終了ポイントパラメータ３３０は、発見リソースとして利用可能なサブフレーム内で各発見信号のために使用されるべきＲＢの開始ポイントおよび終了ポイントを示すために発見ＲＢ長さパラメータ３２５とともに使用され得る。
【０１５７】
[0168]方法１４００は図１４に示されているようにフォローされ得るが、パラメータの送信順序およびタイプは、図１４において識別されたパラメータの特定の送信順序およびタイプに限定される必要はない。言い換えれば、ブロック１４０５〜１４３０は異なる順序で行われ得、これらのブロックによって示されるパラメータのすべてが、送信されたパラメータのいずれか１つまたは複数を使用するステップが行われる前に送信されるとは限らない。
【０１５８】
[0169]いくつかの実施形態では、ブロック１４０５、１４１０、１４１５、１４２０、１４２５、１４３０、または１４３５における動作は、図９または図１０を参照しながら説明した発見パラメータ割当てモジュール９１０を使用して実施され得る。
【０１５９】
[0170]したがって、方法１４００はワイヤレス通信のために使用され得る。方法１４００は一実装形態にすぎず、方法１４００の動作は、他の実装形態が可能であるように再構成されるかまたは別の方法で修正され得ることに留意されたい。
【０１６０】
[0171]図１５は、本開示の様々な態様による、ワイヤレス通信のための方法１５００の一例を示すフローチャートである。明快のために、方法１５００は、図１、図２、または図４Ａを参照しながら説明した基地局１０５のうちの１つまたは複数の態様、あるいは図９または図１０を参照しながら説明した装置９０５のうちの１つまたは複数の態様に関して以下で説明される。いくつかの例では、基地局１０５のうちの１つなどの基地局、または装置９０５のうちの１つなどの装置は、以下で説明する機能を実施するように基地局または装置の機能要素を制御するためのコードの１つまたは複数のセットを実行し得る。
【０１６１】
[0172]ブロック１５０５において、方法１５００は、発見期間パラメータ３０５を送信することを含み得る。送信された発見期間パラメータ３０５は、発見リソースがＤ２Ｄ発見のために利用可能である発見期間を識別する。送信された発見期間パラメータ３０５はまた、Ｄ２Ｄ発見のために利用可能な複数の発見期間を識別し得る。
【０１６２】
[0173]ブロック１５１０において、方法１５００は、変調およびコーディングパラメータ３３５を送信することを含み得る。変調およびコーディングパラメータ３３５は、発見信号送信のための変調およびコーディング方式を示し得る。
【０１６３】
[0174]ブロック１５１５において、方法１５００は、同期信号の位置パラメータ３４０を送信することを含み得る。同期信号の位置パラメータ３４０は、同期信号がネイバー基地局のユーザデバイスによってフォワーディングされるように、ネイバー基地局のその同期信号の位置を示し得る。したがって、このパラメータは、同期信号が別のユーザデバイスによってフォワーディングされるように、ユーザデバイスが同期信号を受信することを可能にする。
【０１６４】
[0175]ブロック１５２０において、方法１５００は、送信電力パラメータ３４５を送信することを含み得る。送信電力パラメータ３４５は、発見信号送信のための電力レベルを示し得る。利用可能な発見リソースは異なる電力ゾーンに区分され得る。これが当てはまるとき、送信電力パラメータ３４５は、特定の発見リソースがどの電力ゾーン中にあるかを示すために使用され得る。送信電力パラメータ３４５はビットマップの形式であり得る。
【０１６５】
[0176]ブロック１５２５において、方法１５００は、許可動作モードパラメータ３５０を送信することを含み得る。許可動作モードパラメータ３５０は、発見がユーザデバイスの接続モード中に行われ得るかアイドルモード中に行われ得るかを示し得る。
【０１６６】
[0177]ブロック１５３０において、方法１５００は、共通または専用発見リソースプールパラメータ３５５を送信することを含み得る。利用可能な発見リソースは共通であり得るか、あるいは特定のユーザデバイスの使用に専用であり得る。共通または専用発見リソースプールパラメータ３５５は、利用可能な発見リソースが共通であるかあるいは専用リソースとして割り当てられるかを示す。共通または専用発見リソースプールパラメータ３５５は１つまたは複数のビットマップの形式であり得る。発見リソースが周波数領域多重化されるとき、ただ１つのビットマップが必要とされる。発見リソースが時間領域多重化されるとき、２つのビットマップが使用され得る。
【０１６７】
[0178]ブロック１５３５において、方法１５００は、送信リソース選択方法パラメータ３６０を送信することを含み得る。送信リソース選択方法パラメータ３６０は、利用可能な発見リソースのうちのどれが発見信号送信のために使用されるべきかを選択するためにユーザデバイスによって使用される方法を示し得る。
【０１６８】
[0179]ブロック１５４０において、方法１５００は、ＤＭＲＳ使用可能サイクリックシフトパラメータ３６５を送信することを含み得る。ＤＭＲＳ使用可能サイクリックシフトパラメータ３６５は、どのＤＭＲＳサイクリックシフトが利用可能であるかと、ＤＭＲＳサイクリックシフトの時間変動パターンとを示し得る。
【０１６９】
[0180]方法１５００は図１５に示されているようにフォローされ得るが、パラメータの送信順序およびタイプは、図１５において識別されたパラメータの特定の送信順序およびタイプに限定される必要はない。言い換えれば、ブロック１５０５〜１５４０は異なる順序で行われ得、これらのブロックによって示されるパラメータのすべてが、送信されたパラメータのいずれか１つまたは複数を使用するステップが行われる前に送信されるとは限らない。さらなる例では、図１５に示されたパラメータのサブセットのみが送信され得る。
【０１７０】
[0181]いくつかの実施形態では、ブロック１５０５、１５１０、１５１５、１５２０、１５２５、１５３０、１５３５、または１５４０における動作は、図９または図１０を参照しながら説明した発見パラメータ割当てモジュール９１０を使用して実施され得る。
【０１７１】
[0182]したがって、方法１５００はワイヤレス通信のために使用され得る。方法１５００は一実装形態にすぎず、方法１５００の動作は、他の実装形態が可能であるように再構成されるかまたは別の方法で修正され得ることに留意されたい。
【０１７２】
[0183]添付の図面に関して上記に記載した詳細な説明は、例示的な実施形態について説明しており、実装され得るまたは特許請求の範囲内に入る唯一の実施形態を表すものではない。詳細な説明は、説明した技法の理解を提供するための具体的な詳細を含む。しかしながら、これらの技法は、これらの具体的な詳細なしに実践され得る。場合によっては、説明した実施形態の概念を不明瞭にしないように、よく知られている構造およびデバイスはブロック図の形式で示される。
【０１７３】
[0184]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上記のシステムおよび無線技術、ならびに他のシステムおよび無線技術に使用され得る。ただし、上記の説明では、例としてＬＴＥシステムについて説明し、上記の説明の大部分においてＬＴＥ用語が使用されたが、本技法はＬＴＥ適用例以外に適用可能である。
【０１７４】
[0185]様々な開示する実施形態のいくつかに適応し得る通信ネットワークは、階層化プロトコルスタック（a layered protocol stack）に従って動作するパケットベースのネットワークであり得る。たとえば、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するためにパケットセグメンテーションおよびリアセンブリを実施し得る。媒体アクセス制御（ＭＡＣ）レイヤは、優先度処理（priority handling）と、トランスポートチャネルへの論理チャネルの多重化とを実施し得る。ＭＡＣレイヤはまた、リンク効率を改善するために、ＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１７５】
[0186]情報および信号は、種々の異なる技術および技法のいずれかを使用して表され得る。たとえば、上記の説明全体を通じて言及され得るデータ、命令、コマンド、情報、信号、ビット、シンボル、およびチップは、電圧、電流、電磁波、磁場または磁性粒子、光場または光学粒子、あるいはそれらの任意の組合せによって表現され得る。
【０１７６】
[0187]本明細書の開示に関して説明した様々な例示的なブロックおよびモジュールは、汎用プロセッサ、ＤＳＰ、（ＡＳＩＣ、ＦＰＧＡまたは他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。プロセッサは、場合によっては、メモリと電子通信していることがあり、ここで、メモリは、プロセッサによって実行可能である命令を記憶する。
【０１７７】
[0188]本明細書で説明した機能は、ハードウェア、プロセッサによって実行されるソフトウェア、ファームウェア、またはそれらの任意の組合せで実装され得る。プロセッサによって実行されるソフトウェアで実装された場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明した機能は、プロセッサ、ハードウェア、ファームウェア、ハードワイヤリング、またはこれらのいずれかの組合せによって実行されるソフトウェアを用いて実装され得る。機能を実装する特徴はまた、機能の部分が様々な物理的位置で実装されるように分散されることを含めて、様々な位置に物理的に配置され得る。また、特許請求の範囲を含めて、本明細書で使用するとき、項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１７８】
[0189]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形式で所望のコンピュータ可読プログラムコードを搬送もしくは記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７９】
[0190]本開示の上述の説明は、当業者が本開示を作成または使用することができるように提供される。本開示への様々な修正は当業者には容易に明らかとなり、本明細書で定義された一般原理は、本開示の範囲から逸脱することなく他の変形形態に適用され得る。本開示全体にわたって、「例」という用語は、一例または一事例を示すものであり、言及した例についてのいかなる選好も暗示または要求しない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ユーザデバイスにおいてデバイス間発見のための複数のパラメータを受信することと、前記複数のパラメータは、発見リソースがデバイス間発見のために利用可能である発見期間を識別する発見期間パラメータを含み、
他のユーザデバイスとともに発見に参加するために前記複数のパラメータを使用することと
を備える、ワイヤレス通信のための方法。
［Ｃ２］
前記発見期間は、前記ユーザデバイスが使用されるネットワークの最大システムフレーム数（ＳＦＮ）の整数分の１または倍数である、Ｃ１に記載の方法。
［Ｃ３］
前記発見期間が最大ＳＦＮの倍数であるとき、前記複数のパラメータは、前記発見期間中に前記最大ＳＦＮが超過される回数を示すためにＳＦＮ拡張パラメータをさらに含む、Ｃ２に記載の方法。
［Ｃ４］
前記複数のパラメータが、前記発見期間の開始と、送信プールと受信プールの両方のための固定時間ベースの基準ポイントとの間のオフセットを示す発見オフセットパラメータをさらに備え、前記方法が、
前記ユーザデバイスのサービングセルのための固定ベースの基準ポイントに関してネイバーセル受信プールを示すこと
をさらに備える、Ｃ１に記載の方法。
［Ｃ５］
前記複数のパラメータは、前記発見期間内のどのサブフレームが発見リソースとして利用可能であるかを示す発見サブフレームパラメータをさらに含む、Ｃ１に記載の方法。
［Ｃ６］
前記発見サブフレームパラメータがビットマップである、Ｃ５に記載の方法。
［Ｃ７］
前記複数のパラメータが、発見リソースとして利用可能なサブフレーム内で各発見信号のために使用されるべき１つまたは複数のリソースブロックの開始ポイントおよび終了ポイントを示す発見リソースブロック開始および終了ポイントパラメータをさらに含む、Ｃ５に記載の方法。
［Ｃ８］
前記複数のパラメータが、基地局に接続された１つまたは複数のユーザデバイスによってフォワーディングされた各発見期間として前記基地局の同期信号の位置を示す同期信号の位置パラメータをさらに含む、Ｃ１に記載の方法。
［Ｃ９］
前記複数のパラメータが、発見信号送信に関する電力レベルを示す送信電力パラメータをさらに含む、Ｃ１に記載の方法。
［Ｃ１０］
発見のために使用されるリソースが異なる電力ゾーンに区分されるとき、前記送信電力パラメータが複数の送信電力パラメータであり得、前記複数の送信電力パラメータの各々が、対応する電力ゾーンに関連付けられ、前記それぞれの電力レベルにおける発見信号送信のために使用されるサブフレームを示す関連するビットマップを有する、Ｃ９に記載の方法。
［Ｃ１１］
前記複数のパラメータは、発見が接続モード中に行われ得るかアイドルモード中に行われ得るかを示す許可動作モードパラメータをさらに含む、Ｃ１に記載の方法。
［Ｃ１２］
前記複数のパラメータは、発見リソースがユーザデバイスに共通であるかどうかまたは発見リソースが特定のユーザデバイスに専用であるかどうかを示す共通発見リソースプールパラメータまたは専用発見リソースプールパラメータをさらに含む、Ｃ１に記載の方法。
［Ｃ１３］
前記発見リソースが時間領域多重化（ＴＤＭ）されるとき、前記共通発見リソースプールパラメータが、共通発見リソースを示す第１のビットマップであり、前記専用発見リソースプールパラメータが、専用発見リソースを示す第２のビットマップである、Ｃ１２に記載の方法。
［Ｃ１４］
前記複数のパラメータは、前記利用可能な発見リソースのうちのどれが発見信号送信のために使用されるべきかを選択するために前記ユーザデバイスによって使用される方法を示す送信リソース選択方法パラメータをさらに含む、Ｃ１に記載の方法。
［Ｃ１５］
前記複数のパラメータのうちのいくつかが、前記ユーザデバイスのクラスに基づいて異なる、Ｃ１に記載の方法。
［Ｃ１６］
前記複数のパラメータが、システムフレーム数（ＳＦＮ）拡張パラメータと、発見オフセットパラメータと、発見サブフレームパラメータと、発見リソースブロック長さパラメータと、発見リソースブロック開始および終了ポイントパラメータと、変調およびコーディングパラメータと、同期信号の位置パラメータと、送信電力パラメータと、許可動作モードパラメータと、共通発見リソースプールパラメータと、専用発見リソースプールパラメータとのうちの２つ以上を含み、
前記ユーザデバイスの前記クラスが商用または公共安全のうちの１つである、Ｃ１５に記載の方法。
［Ｃ１７］
前記複数のパラメータを受信することが、システムブロードキャストメッセージ中で異なる周波数上で前記複数のパラメータのうちのいくつかを受信することをさらに備える、Ｃ１に記載の方法。
［Ｃ１８］
前記複数のパラメータを受信することが、システムブロードキャストメッセージ中で異なるパブリックランドモバイルネットワーク（ＰＬＭＮ）のために前記複数のパラメータを受信することをさらに備える、Ｃ１に記載の方法。
［Ｃ１９］
ユーザデバイスにおいてデバイス間発見のための複数のパラメータを受信するための手段と、前記複数のパラメータは、発見リソースがデバイス間発見のために利用可能である発見期間を識別する発見期間パラメータを含み、
他のユーザデバイスとともに発見に参加するために前記複数のパラメータを使用するための手段と
を備える、ワイヤレス通信のための装置。
［Ｃ２０］
受信するための前記手段は、前記発見期間中に最大システムフレーム数（ＳＦＮ）が超過される回数を示すためにＳＦＮ拡張パラメータを受信するための手段を含む、Ｃ１９に記載の装置。
［Ｃ２１］
受信するための前記手段が、前記発見期間の開始と、送信プールと受信プールの両方のための固定時間ベースの基準ポイントとの間のオフセットを示す発見オフセットパラメータを受信するための手段を含み、前記装置が、
前記ユーザデバイスのサービングセルのための固定ベースの基準ポイントに関してネイバーセル受信プールを示すための手段
をさらに備える、Ｃ１９に記載の装置。
［Ｃ２２］
受信するための前記手段は、前記発見期間内のどのサブフレームが発見リソースとして利用可能であるかを示す発見サブフレームパラメータを受信するための手段を含む、Ｃ１９に記載の装置。
［Ｃ２３］
前記複数のパラメータが、発見リソースとして利用可能なサブフレーム内で各発見信号のために使用されるべき１つまたは複数のリソースブロックの開始ポイントおよび終了ポイントを示す発見リソースブロック開始および終了ポイントパラメータをさらに含む、Ｃ２２に記載の装置。
［Ｃ２４］
前記複数のパラメータが、発見信号送信に関する電力レベルを示す送信電力パラメータをさらに含み、発見のために使用されるリソースが異なる電力ゾーンに区分されるとき、前記送信電力パラメータが複数の送信電力パラメータであり得、前記複数の送信電力パラメータの各々が、対応する電力ゾーンに関連付けられ、前記それぞれの電力レベルにおける発見信号送信のために使用されるサブフレームを示す関連するビットマップを有する、Ｃ１９に記載の装置。
［Ｃ２５］
少なくとも１つのプロセッサと、
前記少なくとも１つのプロセッサに結合されたメモリと
を備える、ワイヤレス通信のために構成された装置であって、前記少なくとも１つのプロセッサは、
ユーザデバイスにおいてデバイス間発見のための複数のパラメータを受信することと、前記複数のパラメータは、発見リソースがデバイス間発見のために利用可能である発見期間を識別する発見期間パラメータを含み、
他のユーザデバイスとともに発見に参加するために前記複数のパラメータを使用することと
を行うように構成された、装置。
［Ｃ２６］
前記プロセッサは、前記発見期間中に最大システムフレーム数（ＳＦＮ）が超過される回数を示すためにＳＦＮ拡張パラメータを受信するようにさらに構成された、Ｃ２５に記載の装置。
［Ｃ２７］
前記プロセッサは、
前記発見期間の開始と、送信プールと受信プールの両方のための固定時間ベースの基準ポイントとの間のオフセットを示す発見オフセットパラメータを受信することと、
前記ユーザデバイスのサービングセルのための固定ベースの基準ポイントに関してネイバーセル受信プールを示すことと
を行うようにさらに構成された、Ｃ２５に記載の装置。
［Ｃ２８］
前記プロセッサは、前記発見期間内のどのサブフレームが発見リソースとして利用可能であるかを示す発見サブフレームパラメータを受信するようにさらに構成された、Ｃ２５に記載の装置。
［Ｃ２９］
前記プロセッサは、発見リソースとして利用可能なサブフレーム内で各発見信号のために使用されるべき前記１つまたは複数のリソースブロックの開始ポイントおよび終了ポイントを示す発見リソースブロック開始および終了ポイントパラメータを受信するようにさらに構成された、Ｃ２８に記載の装置。
［Ｃ３０］
非一時的プログラムコードを記録した非一時的コンピュータ可読媒体を備え、前記非一時的プログラムコードは、
ユーザデバイスにおいてデバイス間発見のための複数のパラメータを受信するためのプログラムコードと、前記複数のパラメータは、発見リソースがデバイス間発見のために利用可能である発見期間を識別する発見期間パラメータを含み、
他のユーザデバイスとともに発見に参加するために前記複数のパラメータを使用するためのプログラムコードと
を備える、コンピュータプログラム製品。
【図１】
0006526715.tif 000002
【図２】
0006526715.tif 000003
【図３】
0006526715.tif 000004
【図４Ａ】
0006526715.tif 000005
【図４Ｂ】
0006526715.tif 000006
【図５】
0006526715.tif 000007
【図６】
0006526715.tif 000008
【図７】
0006526715.tif 000009
【図８】
0006526715.tif 000010
【図９】
0006526715.tif 000011
【図１０】
0006526715.tif 000012
【図１１】
0006526715.tif 000013
【図１２】
0006526715.tif 000014
【図１３】
0006526715.tif 000015
【図１４】
0006526715.tif 000016
【図１５】
0006526715.tif 000017